(57)【要約】  フレキシブル帯域幅を利用するワイヤレス通信システムが、通常帯域幅を利用するワイヤレス通信システムと同一または同様のレートで送信することを可能にし得る方法、システムおよびデバイスが提供される。いくつかの実施形態は、第１の帯域幅キャリアシステムのブロードキャストチャネルについてのターゲットレートを識別し、ターゲットレートを利用してブロードブロードキャスト情報を送信する。ターゲットレートは、第２の帯域幅キャリアシステムのブロードキャストチャネルについてのレートを帯域幅スケーリングファクタによってスケーリングすることから生じるスケーリングされたレートよりも高い。第１の帯域幅キャリアシステムおよび第２の帯域幅キャリアシステムはそれぞれ、フレキシブル帯域幅キャリアシステムおよび通常帯域幅キャリアシステムであり得る。帯域幅スケーリングを補償し、通常帯域幅キャリアシステムにおいて情報が送信される際のレートを効率的に維持するために、システム情報送信およびマスタ情報送信についての異なる最適化スケジュール、異なるチャネライゼーションコードおよびチャネル、ならびに／または異なるスケーリングされた拡散ファクタが識別され、利用され得る。【選択図】図２７
2016510184.tif 000002
【特許請求の範囲】
【請求項１】
データ通信のための方法であって、
第１の帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信することと
を備える方法。
【請求項２】
前記ターゲットレートは、ターゲットデータレートである、
請求項１に記載の方法。
【請求項３】
前記ターゲットレートは、ターゲット繰返しレートである、
請求項１に記載の方法。
【請求項４】
前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
請求項１に記載の方法。
【請求項５】
前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
をさらに備える、請求項１に記載の方法。
【請求項６】
前記ターゲットレートは、情報データレートであり、
前記情報データレートは、前記第２の帯域幅キャリアシステムの前記ブロードキャストチャネルについての前記レートと実質的に同じである、
請求項１に記載の方法。
【請求項７】
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することをさらに備える、
請求項１に記載の方法。
【請求項８】
前記無線フレームサイクルにおいて各情報ブロックの前記ロケーションをスケジュールすることをさらに備える、
請求項７に記載の方法。
【請求項９】
前記情報ブロックは、システム情報ブロック（ＳＩＢ）である、
請求項７に記載の方法。
【請求項１０】
前記情報ブロックは、マスタ情報ブロック（ＭＩＢ）である、
請求項７に記載の方法。
【請求項１１】
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることをさらに備え、前記無線フレームの持続時間は、前記帯域幅スケーリングファクタに基づく、
請求項１に記載の方法。
【請求項１２】
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することをさらに備え、前記スケーリングされた拡散ファクタは、前記帯域幅スケーリングファクタによって、または前記帯域幅スケーリングファクタの分数によってスケーリングされる、
請求項１に記載の方法。
【請求項１３】
前記ブロードキャスト情報は、アクセスのための信号強度情報、サービスプロバイダ情報、および近隣セル情報のうちの１つまたは複数を含む、
請求項１に記載の方法。
【請求項１４】
前記帯域幅スケーリングファクタは、整数値または有理数値である、
請求項１に記載の方法。
【請求項１５】
データ通信のための方法であって、
第１の帯域幅キャリアシステムのブロードキャストチャネルを通じて送信されたブロードキャスト情報をユーザ機器において受信すること、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理することと
を備える方法。
【請求項１６】
前記ターゲットレートは、ターゲットデータレートである、
請求項１５に記載の方法。
【請求項１７】
前記ターゲットレートは、ターゲット繰返しレートである、
請求項１５に記載の方法。
【請求項１８】
前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
請求項１５に記載の方法。
【請求項１９】
前記ブロードキャスト情報を受信することは、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信すること
を備える、
請求項１５に記載の方法。
【請求項２０】
前記ブロードキャスト情報を受信することは、
アクセスのための信号強度情報、サービスプロバイダ情報、および近隣セル情報のうちの１つまたは複数を受信することを備える、
請求項１５に記載の方法。
【請求項２１】
前記ブロードキャスト情報を受信することは、
前記第１の帯域幅キャリアシステムの前記ブロードキャストチャネルについての無線フレームサイクルを受信することを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項１５に記載の方法。
【請求項２２】
前記情報ブロックは、少なくとも１つのシステム情報ブロック（ＳＩＢ）を備える、
請求項１５に記載の方法。
【請求項２３】
前記情報ブロックは、少なくとも１つのマスタ情報ブロック（ＭＩＢ）を備える、
請求項１５に記載の方法。
【請求項２４】
前記ブロードキャスト情報を受信することは、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを備え、前記スケーリングされた拡散ファクタは、前記帯域幅スケーリングファクタによって、または前記帯域幅スケーリングファクタの分数によってスケーリングされる、
請求項１５に記載の方法。
【請求項２５】
第１の帯域幅キャリアシステムのブロードキャストチャネルについてのターゲットレートを識別するための手段、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信するための手段と
を備えるワイヤレス通信システム。
【請求項２６】
前記ターゲットレートは、ターゲットデータレートである、
請求項２５に記載のワイヤレス通信システム。
【請求項２７】
前記ターゲットレートは、ターゲット繰返しレートである、
請求項２５に記載のワイヤレス通信システム。
【請求項２８】
前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは通常帯域幅キャリアシステムである、
請求項２５に記載のワイヤレス通信システム。
【請求項２９】
前記第１の帯域幅キャリアシステムの追加のブロードキャストチャネルを追加するための手段と、
前記ターゲットレートを使用して、前記第１の帯域幅キャリアシステムの両方のブロードキャストチャネルを通じて前記ブロードキャスト情報を送信するための手段と
をさらに備える、請求項２５に記載のワイヤレス通信システム。
【請求項３０】
前記ターゲットレートは、情報データレートであり、
前記情報データレートは、前記第２の帯域幅キャリアシステムの前記ブロードキャストチャネルについての前記レートと実質的に同じである、
請求項２５に記載のワイヤレス通信システム。
【請求項３１】
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するための手段をさらに備える、
請求項２５に記載のワイヤレス通信システム。
【請求項３２】
前記無線フレームサイクルにおいて各情報ブロックの前記ロケーションをスケジュールするための手段をさらに備える、
請求項３１に記載のワイヤレス通信システム。
【請求項３３】
前記情報ブロックは、システム情報ブロック（ＳＩＢ）である、
請求項３２に記載のワイヤレス通信システム。
【請求項３４】
前記情報ブロックは、マスタ情報ブロック（ＭＩＢ）である、
請求項３２に記載のワイヤレス通信システム。
【請求項３５】
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするための手段をさらに備え、前記無線フレームの持続時間は、前記帯域幅スケーリングファクタに基づく、
請求項２５に記載のワイヤレス通信システム。
【請求項３６】
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するための手段をさらに備え、前記スケーリングされた拡散ファクタは、前記帯域幅スケーリングファクタによって、または前記帯域幅スケーリングファクタの分数によってスケーリングされる、
請求項２５に記載のワイヤレス通信システム。
【請求項３７】
前記ブロードキャスト情報は、アクセスのための信号強度情報、サービスプロバイダ情報、および近隣セル情報のうちの１つまたは複数を含む、
請求項２５に記載のワイヤレス通信システム。
【請求項３８】
前記帯域幅スケーリングファクタは、整数値または有理数値である、
請求項２５に記載のワイヤレス通信システム。
【請求項３９】
第１の帯域幅キャリアシステムのブロードキャストチャネルを通じて送信されたブロードキャスト情報をユーザ機器において受信するための手段、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理するための手段と
を備えるワイヤレス通信システム。
【請求項４０】
前記ターゲットレートは、ターゲットデータレートである、
請求項３９に記載のワイヤレス通信システム。
【請求項４１】
前記ターゲットレートは、ターゲット繰返しレートである、
請求項３９に記載のワイヤレス通信システム。
【請求項４２】
前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
請求項３９に記載のワイヤレス通信システム。
【請求項４３】
前記ブロードキャスト情報を受信するための前記手段は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するための手段を備える、
請求項３９に記載のワイヤレス通信システム。
【請求項４４】
前記ブロードキャスト情報を受信するための前記手段は、
アクセスのための信号強度情報、サービスプロバイダ情報、および近隣セル情報のうちの１つまたは複数を受信するための手段を備える、
請求項３９に記載のワイヤレス通信システム。
【請求項４５】
前記ブロードキャスト情報を受信するための前記手段は、
前記第１の帯域幅キャリアシステムの前記ブロードキャストチャネルについての無線フレームサイクルを受信するための手段を備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項３９に記載のワイヤレス通信システム。
【請求項４６】
前記情報ブロックは、少なくとも１つのシステム情報ブロック（ＳＩＢ）を備える、
請求項４５に記載のワイヤレス通信システム。
【請求項４７】
前記情報ブロックは、少なくとも１つのマスタ情報ブロック（ＭＩＢ）を備える、
請求項４５に記載のワイヤレス通信システム。
【請求項４８】
前記ブロードキャスト情報を受信するための前記手段は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するための手段を備え、前記スケーリングされた拡散ファクタは、前記帯域幅スケーリングファクタによって、または前記帯域幅スケーリングファクタの分数によってスケーリングされる、
請求項３９に記載のワイヤレス通信システム。
【請求項４９】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信することと
を行わせる、ワイヤレス通信デバイス。
【請求項５０】
前記ターゲットレートは、ターゲットデータレートである、
請求項４９に記載のワイヤレス通信デバイス。
【請求項５１】
前記ターゲットレートは、ターゲット繰返しレートである、
請求項４９に記載のワイヤレス通信デバイス。
【請求項５２】
前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
請求項４９に記載のワイヤレス通信デバイス。
【請求項５３】
前記実行可能コードは、前記少なくとも１つのプロセッサに、
前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
を行わせる、請求項４９に記載のワイヤレス通信デバイス。
【請求項５４】
前記ターゲットレートは、情報データレートであり、
前記情報データレートは、前記第２の帯域幅キャリアシステムの前記ブロードキャストチャネルについての前記レートと実質的に同じである、
請求項４９に記載のワイヤレス通信デバイス。
【請求項５５】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することを行わせる、
請求項４９に記載のワイヤレス通信デバイス。
【請求項５６】
前記実行可能コードは、前記少なくとも１つのプロセッサに、
前記無線フレームサイクルにおいて各情報ブロックの前記ロケーションをスケジュールすることを行わせる、
請求項５５に記載のワイヤレス通信デバイス。
【請求項５７】
前記情報ブロックは、システム情報ブロック（ＳＩＢ）である、
請求項５６に記載のワイヤレス通信デバイス。
【請求項５８】
前記情報ブロックは、マスタ情報ブロック（ＭＩＢ）である、
請求項５６に記載のワイヤレス通信デバイス。
【請求項５９】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることを行わせ、
前記無線フレームの持続時間は、前記帯域幅スケーリングファクタに基づく、
請求項４９に記載のワイヤレス通信デバイス。
【請求項６０】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することを行わせ、前記スケーリングされた拡散ファクタは、前記帯域幅スケーリングファクタによって、または前記帯域幅スケーリングファクタの分数によってスケーリングされる、
請求項４９に記載のワイヤレス通信デバイス。
【請求項６１】
前記ブロードキャスト情報は、アクセスのための信号強度情報、サービスプロバイダ情報、および近隣セル情報のうちの１つまたは複数を含む、
請求項４９に記載のワイヤレス通信デバイス。
【請求項６２】
前記帯域幅スケーリングファクタは、整数値または有理数値である、
請求項４９に記載のワイヤレス通信デバイス。
【請求項６３】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルを通じて送信されたブロードキャスト情報をユーザ機器において受信すること、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理することと
を行わせる、ワイヤレス通信デバイス。
【請求項６４】
前記ターゲットレートは、ターゲットデータレートである、
請求項６３に記載のワイヤレス通信デバイス。
【請求項６５】
前記ターゲットレートは、ターゲット繰返しレートである、
請求項６３に記載のワイヤレス通信デバイス。
【請求項６６】
前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
請求項６３に記載のワイヤレス通信デバイス。
【請求項６７】
前記実行可能コードは、前記少なくとも１つのプロセッサに、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信することを行わせる、
請求項６３に記載のワイヤレス通信デバイス。
【請求項６８】
前記実行可能コードは、前記少なくとも１つのプロセッサに、
前記ブロードキャスト情報を通じて、アクセスのための信号強度情報、サービスプロバイダ情報、および近隣セル情報のうちの１つまたは複数を受信することを行わせる、
請求項６３に記載のワイヤレス通信デバイス。
【請求項６９】
前記実行可能コードは、前記少なくとも１つのプロセッサに、
前記ブロードキャスト情報を通じて、前記第１の帯域幅キャリアシステムの前記ブロードキャストチャネルについての無線フレームサイクルを受信することを行わせ、情報ブロックは、前記ターゲットレートに基づいて前記無線フレームサイクルにおける無線フレームにマッピングされ、前記無線フレームの持続時間は、前記帯域幅スケーリングファクタに基づく、
請求項６３に記載のワイヤレス通信デバイス。
【請求項７０】
前記情報ブロックは、少なくとも１つのシステム情報ブロック（ＳＩＢ）を備える、
請求項６９に記載のワイヤレス通信デバイス。
【請求項７１】
前記情報ブロックは、少なくとも１つのマスタ情報ブロック（ＭＩＢ）を備える、
請求項６９に記載のワイヤレス通信デバイス。
【請求項７２】
前記実行可能コードは、前記少なくとも１つのプロセッサに、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを行わせ、前記スケーリングされた拡散ファクタは、前記帯域幅スケーリングファクタによって、または前記帯域幅スケーリングファクタの分数によってスケーリングされる、
請求項６３に記載のワイヤレス通信デバイス。
【請求項７３】
データ通信のためのコンピュータプログラム製品であって、
非一時的コンピュータ可読媒体を備え、前記非一時的コンピュータ可読媒体は、
第１の帯域幅キャリアシステムのブロードキャストチャネルについてのターゲットレートを識別するように構成されたコード、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信するように構成されたコードと
を備える、コンピュータプログラム製品。
【請求項７４】
前記ターゲットレートは、ターゲット日レートである、
請求項７３に記載のコンピュータプログラム製品。
【請求項７５】
前記ターゲットレートは、ターゲット繰返しレートである、
請求項７３に記載のコンピュータプログラム製品。
【請求項７６】
前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
請求項７３に記載のコンピュータプログラム製品。
【請求項７７】
前記非一時的コンピュータ可読媒体は、
前記第１の帯域幅キャリアシステムの追加のブロードキャストチャネルを追加するように構成されたコードと、
前記ターゲットレートを使用して、前記第１の帯域幅キャリアシステムの両方のブロードキャストチャネルを通じて前記ブロードキャスト情報を送信するように構成されたコードと
を備える、請求項７３に記載のコンピュータプログラム製品。
【請求項７８】
前記ターゲットレートは、情報データレートであり、
前記情報データレートは、前記第２の帯域幅キャリアシステムの前記ブロードキャストチャネルについての前記レートと実質的に同じである、
請求項７３に記載のコンピュータプログラム製品。
【請求項７９】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するように構成されたコードを備える、
請求項７３に記載のコンピュータプログラム製品。
【請求項８０】
前記非一時的コンピュータ可読媒体は、
前記無線フレームサイクルにおいて各情報ブロックの前記ロケーションをスケジュールするように構成されたコード
を備える、請求項７９に記載のコンピュータプログラム製品。
【請求項８１】
前記情報ブロックは、システム情報ブロック（ＳＩＢ）である、
請求項８０に記載のコンピュータプログラム製品。
【請求項８２】
前記情報ブロックは、マスタ情報ブロック（ＭＩＢ）である、
請求項８０に記載のコンピュータプログラム製品。
【請求項８３】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするように構成されたコードを備え、前記無線フレームの持続時間は、前記帯域幅スケーリングファクタに基づく、
請求項７３に記載のコンピュータプログラム製品。
【請求項８４】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するように構成されたコードを備え、前記スケーリングされた拡散ファクタは、前記帯域幅スケーリングファクタによって、または前記帯域幅スケーリングファクタの分数によってスケーリングされる、
請求項７３に記載のコンピュータプログラム製品。
【請求項８５】
前記ブロードキャスト情報は、アクセスのための信号強度情報、サービスプロバイダ情報、および近隣セル情報のうちの１つまたは複数を含む、
請求項７３に記載のコンピュータプログラム製品。
【請求項８６】
前記帯域幅スケーリングファクタは整数値または有理数値である、
請求項７３に記載のコンピュータプログラム製品。
【請求項８７】
データ通信のためのコンピュータプログラム製品であって、
非一時的コンピュータ可読媒体を備え、前記非一時的コンピュータ可読媒体は、
第１の帯域幅キャリアシステムのブロードキャストチャネルを通じて送信されたブロードキャスト情報をユーザ機器において受信するように構成されたコード、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理するように構成されたコードと
を備える、コンピュータプログラム製品。
【請求項８８】
前記ターゲットレートは、ターゲットデータートである、
請求項８７に記載のコンピュータプログラム製品。
【請求項８９】
前記ターゲットレートは、ターゲット繰返しレートである、
請求項８７に記載のコンピュータプログラム製品。
【請求項９０】
前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
請求項８７に記載のコンピュータプログラム製品。
【請求項９１】
前記非一時的コンピュータ可読媒体は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するように構成されたコードを備える、
請求項８７に記載のコンピュータプログラム製品。
【請求項９２】
前記非一時的コンピュータ可読媒体は、
前記ブロードキャスト情報を通じて、アクセスのための信号強度情報、サービスプロバイダ情報、および近隣セル情報のうちの１つまたは複数を受信するように構成されたコードを備える、
請求項８７に記載のコンピュータプログラム製品。
【請求項９３】
前記非一時的コンピュータ可読媒体は、
前記ブロードキャスト情報を通じて、前記第１の帯域幅キャリアシステムの前記ブロードキャストチャネルについての無線フレームサイクルを受信するように構成されたコードを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項８７に記載のコンピュータプログラム製品。
【請求項９４】
前記情報ブロックは、少なくとも１つのシステム情報ブロック（ＳＩＢ）を備える、
請求項９３に記載のコンピュータプログラム製品。
【請求項９５】
前記情報ブロックは、少なくとも１つのシステム情報ブロック（ＳＩＢ）を備える、
請求項９３に記載のコンピュータプログラム製品。
【請求項９６】
前記非一時的コンピュータ可読媒体は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するように構成されたコードを備え、前記スケーリングされた拡散ファクタは、前記帯域幅スケーリングファクタによって、または前記帯域幅スケーリングファクタの分数によってスケーリングされる、
請求項８７に記載のコンピュータプログラム製品。
【発明の詳細な説明】
【技術分野】
【０００１】
相互参照
[0001]本特許出願は、Ｂａｒａｎｙらによる「“High Data Rate Broadcast Channel Systems, Devices, and Methods」と題する２０１３年２月１１日に出願された、本出願の譲受人に譲渡された米国特許出願第１３／７６３，９３７号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００３】
[0003]サービスプロバイダは一般に、ある地理的領域における独占的な使用のために、周波数スペクトルのブロックを割り振られる。周波数のこれらのブロックは一般に、使用される多元接続技術とは無関係に、調整器によって割り当てられる。ほとんどの場合、これらのブロックは、チャネル帯域幅の整数倍ではなく、したがって、スペクトルの利用されない部分があり得る。ワイヤレスデバイスの使用が増すにつれ、このスペクトルの需要および価値も、概して高まっている。それでも、場合によっては、ワイヤレス通信システムは、割り振られたスペクトルの部分が標準波形または通常波形に適合するのに十分大きくないので、その部分を利用しないことがある。ＬＴＥ規格の開発者は、たとえば、この問題を認識しており、多くの異なるシステム帯域幅（たとえば、１．４、３、５、１０、１５および２０メガヘルツ（ＭＨｚ））をサポートすることを決定した。このことは、この問題に対する部分的解決法を提供し得る。フレキシブル帯域幅キャリアシステムは、これらの問題に対する別の解決法を提供することができる。ただし、フレキシブル帯域幅キャリアシステムに関してブロードキャスト情報の送信を行うときは、様々な問題が生じ得る。
【発明の概要】
【０００４】
[0004]時間膨張（time dilation）とともにフレキシブル帯域幅を利用するワイヤレス通信システムが、通常帯域幅を利用するワイヤレス通信システムと同一または同様のレートでデータを送信することを可能にし得る方法、システム、およびデバイスが提供される。いくつかの実施形態は、時間膨張を用いる第１の帯域幅キャリアシステムのブロードキャストチャネルについてのターゲットレートを識別し、ターゲットレートを利用してブロードキャスト情報を送信する。ターゲットレートは、第２の帯域幅キャリアシステムのブロードキャストチャネルについてのレートを帯域幅スケーリングファクタによってスケーリングすることから生じるスケーリングされたレートよりも高い。ターゲットレートは、ターゲットデータレートまたはターゲット繰返しレートであり得る。第１の帯域幅キャリアシステムおよび第２の帯域幅キャリアシステムはそれぞれ、（たとえば、時間膨張を伴う）フレキシブル帯域幅キャリアシステムおよび通常帯域幅キャリアシステムであり得る。いくつかの実施形態では、第２の帯域幅キャリアシステムも時間膨張を用いる。
【０００５】
[0005]データレートのスケーリングを補償し、通常帯域幅キャリアシステムにおいて情報が送信される際のデータレートを効率的に維持するために、フレキシブル帯域幅キャリアシステムは、帯域幅スケーリングファクタに基づいて、システム情報送信およびマスタ情報送信についての異なる最適化スケジュール、異なるチャネライゼーションコードおよびチャネル、ならびに／または異なるスケーリングされた拡散ファクタを識別し、利用することができる。最適化スケジューリングは、フレームサイクル中のどの１つまたは複数のフレームでシステム情報が送信されるかを識別することを含み得る。補償がなければ、ユーザ機器（ＵＥ）によるいくつかの手順のパフォーマンスはデータレートスケーリングに影響されることがある。たとえば、ＵＥが適時にマスタ情報ブロック（ＭＩＢ）とシステム情報ブロック（ＳＩＢ）とを読み取ることが可能であることに依存する手順が影響され得る。そのような手順は、限定はしないが、パブリックランドモバイルネットワーク（ＰＬＭＮ）選択、セル選択／再選択、およびあるセルから別のセルへのハンドオーバを含み得る。いくつかの実施形態では、データレートスケーリングの補償は、補償されたデータレートまたはより高いデータレートでブロードキャストチャネルにおいて情報を送信するために基地局によって利用される送信電力の量を考慮し得る。
【０００６】
[0006]フレキシブル帯域幅キャリアシステムは、フレキシブル波形を利用する、通常波形に適合するのに十分大きくないことがあるスペクトルの部分を利用し得るワイヤレス通信システムを伴い得る。通常キャリア帯域幅システムに対してフレキシブル帯域幅キャリアシステムのチップレートをスケールダウンするとともに、時間（たとえば、フレーム持続時間）を膨張させることにより、通常キャリア帯域幅システムに対してフレキシブル帯域幅キャリアシステムが生成され得る。いくつかの実施形態は、フレキシブルキャリア帯域幅システムの時間（たとえば、フレーム持続時間）を削減するとともに、チップレートを拡張またはスケールアップすることにより、フレキシブル波形の帯域幅を増大させる。
【０００７】
[0007]いくつかの実施形態では、データ通信のための方法は、第１の帯域幅キャリアシステムのブロードキャストチャネルについてのターゲットレートを識別することを含み、ターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。ターゲットレートを使用して、第１の帯域幅キャリアシステムのブロードキャスト情報が送信され得る。ブロードキャスト情報は、アクセスのための信号強度情報、サービスプロバイダ情報、および近隣セル情報のうちの１つまたは複数を含み得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、第１の帯域幅キャリアシステムの追加のブロードキャストチャネルが追加され、ターゲットレートを使用して第１の帯域幅キャリアシステムの両方のブロードキャストチャネルを通じてブロードキャスト情報が送信される。いくつかの実施形態では、ターゲットレートは、第２の帯域幅キャリアシステムのブロードキャストチャネルについてのレートと実質的に同じである情報データレートである。
【０００８】
[0008]いくつかの実施形態では、ターゲットレートを使用してブロードキャスト情報を送信するのを容易にするために、第１の帯域幅キャリアシステムのブロードキャストチャネルについての無線フレームサイクルにおいて送信される各情報ブロックのロケーションが使用される。無線フレームサイクルにおいて各情報ブロックのロケーションがスケジュールされ得る。情報ブロックはＳＩＢまたはＭＩＢであり得る。ターゲットレートを使用してブロードキャスト情報を送信するのを容易にするために、第１の帯域幅キャリアシステムのブロードキャストチャネルについての無線フレームサイクルにおける無線フレームに情報ブロックがマッピングされてよく、無線フレームの持続時間は、帯域幅スケーリングファクタに基づく。
【０００９】
[0009]いくつかの実施形態では、ターゲットレートを使用してブロードキャスト情報を送信するのを容易にするために、第１の帯域幅キャリアシステムのブロードキャストチャネルの１つまたは複数のプライマリ共通制御物理チャネル（ＰＣＣＰＣＨ）に関するスケーリングされた拡散ファクタが使用され、スケーリングされた拡散ファクタは、帯域幅スケーリングファクタによって、または帯域幅スケーリングファクタの分数によってスケーリングされる。
【００１０】
[0010]いくつかの実施形態では、データ通信のための方法は、第１の帯域幅キャリアシステムのブロードキャストチャネルを通じて送信されたブロードキャスト情報をユーザ機器において受信することを含み、ブロードキャスト情報が受信される際のターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。ユーザ機器との通信の候補セルを識別するために、ブロードキャスト情報が処理され得る。ブロードキャスト情報は、アクセスのための信号強度情報、サービスプロバイダ情報、および近隣セル情報のうちの１つまたは複数を含み得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、第１の帯域幅キャリアシステムのブロードキャストチャネルを通じて、および第１の帯域幅キャリアシステムの追加のブロードキャストチャネルを通じて、ターゲットレートでブロードキャスト情報が受信される。
【００１１】
[0011]いくつかの実施形態では、第１の帯域幅キャリアシステムのブロードキャストチャネルについて無線フレームサイクルが受信され、ターゲットレートに基づいて無線フレームサイクルにおける無線フレームに情報ブロックがマッピングされ、無線フレームの持続時間は、帯域幅スケーリングファクタに基づく。情報ブロックは、少なくとも１つのＳＩＢおよび／または少なくとも１つのＭＩＢを含み得る。
【００１２】
[0012]いくつかの実施形態では、第１の帯域幅キャリアシステムのブロードキャストチャネルの１つまたは複数のＰＣＣＰＣＨに関するスケーリングされた拡散ファクタに基づいて、ターゲットレートでブロードキャスト情報が受信され、スケーリングされた拡散ファクタは、帯域幅スケーリングファクタによって、または帯域幅スケーリングファクタの分数によってスケーリングされる。
【００１３】
[0013]いくつかの実施形態では、ワイヤレス通信システムは、第１の帯域幅キャリアシステムのブロードキャストチャネルについてのターゲットレートを識別するための手段を含み、ターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、ワイヤレス通信システムは、ターゲットレートを使用して第１の帯域幅キャリアシステムのブロードキャスト情報を送信するための手段を含む。ブロードキャスト情報は、アクセスのための信号強度情報、サービスプロバイダ情報、および近隣セル情報のうちの１つまたは複数を含み得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、ワイヤレス通信システムは、第１の帯域幅キャリアシステムの追加のブロードキャストチャネルを追加するための手段と、ターゲットレートを使用して第１の帯域幅キャリアシステムの両方のブロードキャストチャネルを通じてブロードキャスト情報を送信するための手段とを含む。いくつかの実施形態では、ターゲットレートは、第２の帯域幅キャリアシステムのブロードキャストチャネルについてのレートと実質的に同じである情報データレートである。
【００１４】
[0014]いくつかの実施形態では、ワイヤレス通信システムは、ターゲットレートを使用してブロードキャスト情報を送信するのを容易にするために、第１の帯域幅キャリアシステムのブロードキャストチャネルについての無線フレームサイクルにおいて送信される各情報ブロックのロケーションを使用するための手段を含む。いくつかの実施形態では、ワイヤレス通信システムは、無線フレームサイクルにおいて各情報ブロックのロケーションをスケジュールするための手段を含む。情報ブロックはＳＩＢまたはＭＩＢであり得る。いくつかの実施形態では、ワイヤレス通信システムは、ターゲットレートを使用してブロードキャスト情報を送信するのを容易にするために、第１の帯域幅キャリアシステムのブロードキャストチャネルについての無線フレームサイクルにおける無線フレームに情報ブロックをマッピングするための手段を含み、無線フレームの持続時間は、帯域幅スケーリングファクタに基づく。
【００１５】
[0015]いくつかの実施形態では、ワイヤレス通信システムは、ターゲットレートを使用してブロードキャスト情報を送信するのを容易にするために、第１の帯域幅キャリアシステムのブロードキャストチャネルの１つまたは複数のＰＣＣＰＣＨに関するスケーリングされた拡散ファクタを使用するための手段を含み、スケーリングされた拡散ファクタは、帯域幅スケーリングファクタによって、または帯域幅スケーリングファクタの分数によってスケーリングされる。
【００１６】
[0016]いくつかの実施形態では、ワイヤレス通信システムは、第１の帯域幅キャリアシステムのブロードキャストチャネルを通じて送信されたブロードキャスト情報をユーザ機器において受信するための手段を含み、ブロードキャスト情報が受信される際のターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、ワイヤレス通信システムは、ユーザ機器との通信の候補セルを識別するためにブロードキャスト情報を処理するための手段を含む。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、ワイヤレス通信システムは、第１の帯域幅キャリアシステムのブロードキャストチャネルを通じて、および第１の帯域幅キャリアシステムの追加のブロードキャストチャネルを通じて、ターゲットレートでブロードキャスト情報を受信するための手段を含む。いくつかの実施形態では、ワイヤレス通信システムは、アクセスのための信号強度情報、サービスプロバイダ情報、および近隣セル情報のうちの１つまたは複数を受信するための手段を含む。
【００１７】
[0017]いくつかの実施形態では、ワイヤレス通信システムは、第１の帯域幅キャリアシステムのブロードキャストチャネルについての無線フレームサイクルを受信するための手段を含み、ターゲットレートに基づいて無線フレームサイクルにおける無線フレームに情報ブロックがマッピングされ、無線フレームの持続時間は、帯域幅スケーリングファクタに基づく。情報ブロックは、少なくとも１つのＳＩＢおよび／または少なくとも１つのＭＩＢを含み得る。
【００１８】
[0018]いくつかの実施形態では、ワイヤレス通信システムは、第１の帯域幅キャリアシステムのブロードキャストチャネルの１つまたは複数のＰＣＣＰＣＨに関するスケーリングされた拡散ファクタに基づいて、ターゲットレートでブロードキャスト情報を受信するための手段を含み、スケーリングされた拡散ファクタは、帯域幅スケーリングファクタによって、または帯域幅スケーリングファクタの分数によってスケーリングされる。
【００１９】
[0019]いくつかの実施形態では、ワイヤレス通信デバイスは、メモリと通信可能に結合された少なくとも１つのプロセッサを含み、メモリが実行可能コードを有し、実行可能コードが、少なくとも１つのプロセッサによって実行されると、少なくとも１つのプロセッサに、第１の帯域幅キャリアシステムのブロードキャストチャネルについてのターゲットレートを識別することを行わせ、ターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、実行可能コードは、少なくとも１つのプロセッサに、ターゲットレートを使用して第１の帯域幅キャリアシステムのブロードキャスト情報を送信することを行わせる。ブロードキャスト情報は、アクセスのための信号強度情報、サービスプロバイダ情報、および近隣セル情報のうちの１つまたは複数を含み得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、実行可能コードは、少なくとも１つのプロセッサに、第１の帯域幅キャリアシステムの追加のブロードキャストチャネルを追加し、ターゲットレートを使用して第１の帯域幅キャリアシステムの両方のブロードキャストチャネルを通じてブロードキャスト情報を送信することを行わせる。いくつかの実施形態では、ターゲットレートは、第２の帯域幅キャリアシステムのブロードキャストチャネルについてのレートと実質的に同じである情報データレートである。
【００２０】
[0020]いくつかの実施形態では、実行可能コードは、少なくとも１つのプロセッサに、ターゲットレートを使用してブロードキャスト情報を送信するのを容易にするために、第１の帯域幅キャリアシステムのブロードキャストチャネルについての無線フレームサイクルにおいて送信される各情報ブロックのロケーションを使用することを行わせる。いくつかの実施形態では、実行可能コードは、少なくとも１つのプロセッサに、無線フレームサイクルにおいて各情報ブロックのロケーションをスケジュールすることを行わせる。情報ブロックはＳＩＢまたはＭＩＢであり得る。いくつかの実施形態では、実行可能コードは、少なくとも１つのプロセッサに、ターゲットレートを使用してブロードキャスト情報を送信するのを容易にするために、第１の帯域幅キャリアシステムのブロードキャストチャネルについての無線フレームサイクルにおける無線フレームに情報ブロックをマッピングすることを行わせ、無線フレームの持続時間は、帯域幅スケーリングファクタに基づく。
【００２１】
[0021]いくつかの実施形態では、実行可能コードは、少なくとも１つのプロセッサに、ターゲットレートを使用してブロードキャスト情報を送信するのを容易にするために、第１の帯域幅キャリアシステムのブロードキャストチャネルの１つまたは複数のＰＣＣＰＣＨに関するスケーリングされた拡散ファクタを使用することを行わせ、スケーリングされた拡散ファクタは、帯域幅スケーリングファクタによって、または帯域幅スケーリングファクタの分数によってスケーリングされる。
【００２２】
[0022]いくつかの実施形態では、ワイヤレス通信デバイスは、メモリと通信可能に結合された少なくとも１つのプロセッサを含み、メモリが実行可能コードを有し、実行可能コードが、少なくとも１つのプロセッサによって実行されると、少なくとも１つのプロセッサに、第１の帯域幅キャリアシステムのブロードキャストチャネルを通じて送信されたブロードキャスト情報をユーザ機器において受信することを行わせ、ブロードキャスト情報が受信される際のターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、実行可能コードは、少なくとも１つのプロセッサに、ユーザ機器との通信の候補セルを識別するためにブロードキャスト情報を処理することを行わせる。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、実行可能コードは、少なくとも１つのプロセッサに、第１の帯域幅キャリアシステムのブロードキャストチャネルを通じて、および第１の帯域幅キャリアシステムの追加のブロードキャストチャネルを通じて、ターゲットレートでブロードキャスト情報を受信することを行わせる。いくつかの実施形態では、実行可能コードは、少なくとも１つのプロセッサに、ブロードキャスト情報を通じて、アクセスのための信号強度情報、サービスプロバイダ情報、および近隣セル情報のうちの１つまたは複数を受信することを行わせる。
【００２３】
[0023]いくつかの実施形態では、実行可能コードは、少なくとも１つのプロセッサに、ブロードキャスト情報を通じて、第１の帯域幅キャリアシステムのブロードキャストチャネルについての無線フレームサイクルを受信することを行わせ、ターゲットレートに基づいて無線フレームサイクルにおける無線フレームに情報ブロックがマッピングされ、無線フレームの持続時間は、帯域幅スケーリングファクタに基づく。情報ブロックは、少なくとも１つのＳＩＢおよび／または少なくとも１つのＭＩＢを含み得る。
【００２４】
[0024]いくつかの実施形態では、実行可能コードは、少なくとも１つのプロセッサに、第１の帯域幅キャリアシステムのブロードキャストチャネルの１つまたは複数のＰＣＣＰＣＨに関するスケーリングされた拡散ファクタに基づいて、ターゲットレートでブロードキャスト情報を受信することを行わせ、スケーリングされた拡散ファクタは、帯域幅スケーリングファクタによって、または帯域幅スケーリングファクタの分数によってスケーリングされる。
【００２５】
[0025]いくつかの実施形態では、データ通信のためのコンピュータプログラム製品は、非一時的コンピュータ可読媒体を含み、非一時的コンピュータ可読媒体が、第１の帯域幅キャリアシステムのブロードキャストチャネルについてのターゲットレートを識別するように構成されたコードを有し、ターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、非一時的コンピュータ可読媒体は、ターゲットレートを使用して第１の帯域幅キャリアシステムのブロードキャスト情報を送信するように構成されたコードを含む。ブロードキャスト情報は、アクセスのための信号強度情報、サービスプロバイダ情報、および近隣セル情報のうちの１つまたは複数を含み得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、非一時的コンピュータ可読媒体は、第１の帯域幅キャリアシステムの追加のブロードキャストチャネルを追加するように構成されたコードと、ターゲットレートを使用して第１の帯域幅キャリアシステムの両方のブロードキャストチャネルを通じてブロードキャスト情報を送信するように構成されたコードとを含む。いくつかの実施形態では、ターゲットレートは、第２の帯域幅キャリアシステムのブロードキャストチャネルについてのレートと実質的に同じである情報データレートである。
【００２６】
[0026]いくつかの実施形態では、非一時的コンピュータ可読媒体は、ターゲットレートを使用してブロードキャスト情報を送信するのを容易にするために、第１の帯域幅キャリアシステムのブロードキャストチャネルについての無線フレームサイクルにおいて送信される各情報ブロックのロケーションを使用するように構成されたコードを含む。いくつかの実施形態では、非一時的コンピュータ可読媒体は、無線フレームサイクルにおいて各情報ブロックのロケーションをスケジュールするように構成されたコードを含む。情報ブロックはＳＩＢまたはＭＩＢであり得る。いくつかの実施形態では、非一時的コンピュータ可読媒体は、ターゲットレートを使用してブロードキャスト情報を送信するのを容易にするために、第１の帯域幅キャリアシステムのブロードキャストチャネルについての無線フレームサイクルにおける無線フレームに情報ブロックをマッピングするように構成されたコードを含み、無線フレームの持続時間は、帯域幅スケーリングファクタに基づく。
【００２７】
[0027]いくつかの実施形態では、非一時的コンピュータ可読媒体は、ターゲットレートを使用してブロードキャスト情報を送信するのを容易にするために、第１の帯域幅キャリアシステムのブロードキャストチャネルの１つまたは複数のＰＣＣＰＣＨに関するスケーリングされた拡散ファクタを使用するように構成されたコードを含み、スケーリングされた拡散ファクタは、帯域幅スケーリングファクタによって、または帯域幅スケーリングファクタの分数によってスケーリングされる。
【００２８】
[0028]いくつかの実施形態では、データ通信のためのコンピュータプログラム製品は、非一時的コンピュータ可読媒体を含み、非一時的コンピュータ可読媒体が、第１の帯域幅キャリアシステムのブロードキャストチャネルを通じて送信されたブロードキャスト情報をユーザ機器において受信するように構成されたコードを有し、ブロードキャスト情報が受信される際のターゲットレートは、ブロードキャストチャネルについてのスケーリングされたレートよりも高く、スケーリングされたレートは、第２の帯域幅キャリアシステムのブロードキャストチャネルについての、帯域幅スケーリングファクタによってスケーリングされたレートである。帯域幅スケーリングファクタは、整数値または有理数値であり得る。ターゲットレートは、ターゲットデータレートまたはターゲット繰返しレートであり得る。いくつかの実施形態では、非一時的コンピュータ可読媒体は、ユーザ機器との通信の候補セルを識別するためにブロードキャスト情報を処理するように構成されたコードを含む。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、非一時的コンピュータ可読媒体は、第１の帯域幅キャリアシステムのブロードキャストチャネルを通じて、および第１の帯域幅キャリアシステムの追加のブロードキャストチャネルを通じて、ターゲットレートでブロードキャスト情報を受信するように構成されたコードを含む。いくつかの実施形態では、非一時的コンピュータ可読媒体は、ブロードキャスト情報を通じて、アクセスのための信号強度情報、サービスプロバイダ情報、および近隣セル情報のうちの１つまたは複数を受信するように構成されたコードを含む。
【００２９】
[0029]いくつかの実施形態では、非一時的コンピュータ可読媒体は、ブロードキャスト情報を通じて、第１の帯域幅キャリアシステムのブロードキャストチャネルについての無線フレームサイクルを受信するように構成されたコードを含み、ターゲットレートに基づいて無線フレームサイクルにおける無線フレームに情報ブロックがマッピングされ、無線フレームの持続時間は、帯域幅スケーリングファクタに基づく。情報ブロックは、少なくとも１つのＳＩＢおよび／または少なくとも１つのＭＩＢを含み得る。
【００３０】
[0030]いくつかの実施形態では、非一時的コンピュータ可読媒体は、第１の帯域幅キャリアシステムのブロードキャストチャネルの１つまたは複数のＰＣＣＰＣＨに関するスケーリングされた拡散ファクタに基づいて、ターゲットレートでブロードキャスト情報を受信するように構成されたコードを含み、スケーリングされた拡散ファクタは、帯域幅スケーリングファクタによって、または帯域幅スケーリングファクタの分数によってスケーリングされる。
【００３１】
[0031]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の限界を定めるものではない。
【図面の簡単な説明】
【００３２】
[0032]本発明の性質および利点のさらなる理解は、以下の図面を参照して実現され得る。添付の図において、同様の構成要素または特徴は同じ参照ラベルを有することができる。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図１】[0033]様々な実施形態によるワイヤレス通信システムのブロック図。
【図２Ａ】[0034]様々な実施形態による、フレキシブル波形が通常波形に適合するのに十分広くないスペクトルの一部分に適合するワイヤレス通信システムの一例を示す図。
【図２Ｂ】[0035]様々な実施形態による、フレキシブル波形が帯域のエッジの近くのスペクトルの一部分に適合するワイヤレス通信システムの一例を示す図。
【図３】[0036]様々な実施形態によるワイヤレス通信システムのブロック図。
【図４Ａ】[0037]様々な実施形態による、ブロードキャストチャネル送信におけるより高いデータレートを支援するように構成されたデバイスのブロック図。
【図４Ｂ】[0038]様々な実施形態による、ブロードキャストチャネル送信におけるより高いデータレートを支援するように構成されたデバイスのブロック図。
【図５】[0039]様々な実施形態による、ブロードキャストチャネル送信についてのパラメータを示すテーブル。
【図６】[0040]様々な実施形態による、ブロードキャストチャネルフレーム構造を示す図。
【図７】[0041]様々な実施形態による、ブロードキャストチャネル送信についてのチャネライゼーションコードツリーを示す図。
【図８】[0042]様々な実施形態による、スケジュールされたシステム情報ブロック（ＳＩＢ）を有する無線フレームサイクルを示す図。
【図９】[0043]様々な実施形態による、ブロードキャストチャネル送信についてのパラメータを示すテーブル。
【図１０】[0044]様々な実施形態による、スケジュールされたＳＩＢを有する無線フレームサイクルを示す図。
【図１１】[0045]様々な実施形態による、ブロードキャストチャネル送信についてのパラメータを示すテーブル。
【図１２】[0046]様々な実施形態による、ブロードキャストチャネル送信についてのチャネライゼーションコードツリーを示す図。
【図１３Ａ】[0047]様々な実施形態による、スケジュールされたＳＩＢを有する無線フレームサイクルを示す図。
【図１３Ｂ】[0048]様々な実施形態による、スケジュールされたＳＩＢを有する無線フレームサイクルを示す図。
【図１４】[0049]様々な実施形態による、ブロードキャストチャネル送信についてのパラメータを示すテーブル。
【図１５】[0050]様々な実施形態による、ブロードキャストチャネル送信についてのチャネライゼーションコードツリーを示す図。
【図１６】[0051]様々な実施形態による、ブロードキャストチャネル送信についてのパラメータを示すテーブル。
【図１７】[0052]様々な実施形態による、スケジュールされたＳＩＢを有する無線フレームサイクルを示す図。
【図１８】[0053]様々な実施形態による、ブロードキャストチャネル送信についてのパラメータを示すテーブル。
【図１９】[0054]様々な実施形態による、ブロードキャストチャネル送信についてのチャネライゼーションコードツリーを示す図。
【図２０Ａ】[0055]様々な実施形態による、スケジュールされたＳＩＢを有する無線フレームサイクルを示す図。
【図２０Ｂ】[0056]様々な実施形態による、スケジュールされたＳＩＢを有するフレームサイクルを示す図。
【図２１】[0057]様々な実施形態による、ブロードキャストチャネル送信についてのパラメータを示すテーブル。
【図２２】[0058]様々な実施形態による、ブロードキャストチャネル送信についてのチャネライゼーションコードツリーを示す図。
【図２３Ａ】[0059]様々な実施形態による、ブロードキャストチャネル送信についてのパラメータを示すテーブル。
【図２３Ｂ】[0060]様々な実施形態による、ブロードキャストチャネル送信についてのチャネライゼーションコードツリーを示す図。
【図２４Ａ】[0061]様々な実施形態による、ブロードキャストチャネル送信についてのパラメータを示すテーブル。
【図２４Ｂ】[0062]様々な実施形態による、ブロードキャストチャネル送信についてのパラメータを示すテーブル。
【図２５Ａ】[0063]様々な実施形態による、ブロードキャストチャネル送信についてのパラメータを示すテーブル。
【図２５Ｂ】[0064]様々な実施形態による、ブロードキャストチャネル送信についてのチャネライゼーションコードツリーを示す図。
【図２６Ａ】[0065]様々な実施形態による、ブロードキャストチャネル送信についてのパラメータを示すテーブル。
【図２６Ｂ】[0066]様々な実施形態による、ブロードキャストチャネル送信についてのチャネライゼーションコードツリーを示す図。
【図２７】[0067]様々な実施形態によるワイヤレス通信システムのブロック図。
【図２８】[0068]様々な実施形態によるユーザ機器のブロック図。
【図２９】[0069]様々な実施形態による、基地局とユーザ機器とを含むワイヤレス通信システムのブロック図。
【図３０Ａ】[0070]様々な実施形態による、フレキシブル帯域幅キャリアシステムにおけるブロードキャストチャネルについてのより高いデータレートを提供するための、一部の基地局によって利用される方法のフローチャート。
【図３０Ｂ】[0071]様々な実施形態による、フレキシブル帯域幅キャリアシステムにおけるブロードキャストチャネルについてのより高いデータレートを提供するための、一部の基地局によって利用される別の方法のフローチャート。
【図３０Ｃ】[0072]様々な実施形態による、フレキシブル帯域幅キャリアシステムにおけるブロードキャストチャネルについてのより高いデータレートを提供するための、一部の基地局によって利用されるさらに別の方法のフローチャート。
【図３１Ａ】[0073]様々な実施形態による、フレキシブル帯域幅キャリアシステムにおけるブロードキャストチャネルについてのより高いデータレートを提供するための、一部のユーザ機器によって利用される方法のフローチャート。
【図３１Ｂ】[0074]様々な実施形態による、フレキシブル帯域幅キャリアシステムにおけるブロードキャストチャネルについてのより高いデータレートを提供するための、一部のユーザ機器によって利用される別の方法のフローチャート。
【図３１Ｃ】[0075]様々な実施形態による、フレキシブル帯域幅キャリアシステムにおけるブロードキャストチャネルについてのより高いデータレートを提供するための、一部のユーザ機器によって利用されるさらに別の方法のフローチャート。
【発明を実施するための形態】
【００３３】
[0076]時間膨張とともにフレキシブル帯域幅を利用するワイヤレス通信システムが、通常帯域幅を利用するワイヤレス通信システムと同一または同様のレートでデータを送信することを可能にし得る方法、システム、およびデバイスが提供される。いくつかの実施形態は、時間膨張を用いる第１の帯域幅キャリアシステムのブロードキャストチャネルについてのターゲットレートを識別し、ターゲットデータレートを利用してブロードブロードキャスト情報を送信する。ターゲットレートは、第２の帯域幅キャリアシステムのブロードキャストチャネルについてのデータレートを帯域幅スケーリングファクタによってスケーリングすることから生じるスケーリングされたレートよりも高い。ターゲットレートは、ターゲットデータレートまたはターゲット繰返しレートであり得る。第１の帯域幅キャリアシステムおよび第２の帯域幅キャリアシステムはそれぞれ、（たとえば、時間膨張を伴う）フレキシブル帯域幅キャリアシステムおよび通常帯域幅キャリアシステムであり得る。いくつかの実施形態では、第２の帯域幅キャリアシステムも時間膨張を用いる。ターゲットレートは、たとえば、ターゲットデータレートまたはターゲット繰返しレートであり得る。
【００３４】
[0077]データレートのスケーリングを補償し、通常帯域幅キャリアシステムにおいて情報が送信される際のデータレートを効率的に維持するために、時間膨張を用いるフレキシブル帯域幅キャリアシステムは、帯域幅スケーリングファクタに基づいて、システム情報送信およびマスタ情報送信についての異なるスケジュール、異なるチャネライゼーションコードおよびチャネル、ならびに／または異なるスケーリングされた拡散ファクタを識別し、利用することができる。スケジューリングは、たとえば、ターゲット繰返しレートに関連付けられ得る。単にデータレートを上昇させることは、システム情報が送信される際のタイミングを改善するとは限らないので、重要な情報がより利用可能になるように、スケジューリングが最適化または変更され得る。最適化または変更されたスケジューリングは、フレームサイクル中のどの１つまたは複数のフレームでシステム情報が送信されるかを識別することを含み得る。補償がない場合、ユーザ機器（ＵＥ）またはＮｏｄｅＢによるいくつかの手順のパフォーマンスはデータレートスケーリングに影響されることがある。たとえば、ＵＥが適時にマスタ情報ブロック（ＭＩＢ）とシステム情報ブロック（ＳＩＢ）とを読み取ることが可能であることに依存する手順が影響され得る。そのような手順は、限定はしないが、パブリックランドモバイルネットワーク（ＰＬＭＮ）選択、セル選択／再選択、およびあるセルから別のセルへのハンドオーバを含み得る。いくつかの実施形態では、データレートスケーリングの補償は、補償されたデータレートまたはより高いデータレートでブロードキャストチャネルにおいて情報を送信するために基地局によって利用される送信電力の量を考慮し得る。
【００３５】
[0078]フレキシブル帯域幅キャリアシステムは、フレキシブル波形を利用する、通常波形に適合するのに十分大きくないことがあるスペクトルの部分を利用し得るワイヤレス通信システムを伴い得る。フレキシブル帯域幅キャリアシステムは、たとえば、フレキシブル帯域幅キャリアシステムまたはフレキシブル帯域幅セルを指し得る。同様に、通常帯域幅キャリアシステムも、たとえば、通常帯域幅キャリアシステムまたは通常帯域幅セルを指し得る。通常帯域幅キャリアシステムに対してフレキシブル帯域幅キャリアシステムのチップレートをスケールダウンするとともに、時間（たとえば、フレーム持続時間）を膨張させることにより、通常キャリア帯域幅システムに対してフレキシブル帯域幅キャリアシステムが生成され得る。いくつかの実施形態は、フレキシブル帯域幅キャリアシステムの時間（たとえば、フレーム持続時間）を削減するとともに、チップレートを拡張またはスケールアップすることにより、フレキシブル波形の帯域幅を増大させる。
【００３６】
[0079]本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムのような、様々なワイヤレス通信システムに使用され得る。「システム」および「ネットワーク」という用語は、しばしば互換的に使用される。ＣＤＭＡシステムは、ＣＤＭＡ２０００、ユニバーサルテレストリアルラジオアクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、グローバルシステムフォーモバイルコミュニケーション（ＧＳＭ（登録商標））などの無線技術を実装し得る。ＯＦＤＭＡシステムまたはＯＦＤＭシステムは、ウルトラモバイルブロードバンド（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と呼ばれる組織からの文書に記載されている。ＣＤＭＡ２０００およびＵＭＢは、第３世代パートナーシッププロジェクト２（３ＧＰＰ２：3rd Generation Partnership Project 2）と呼ばれる組織からの文書に記載されている。本明細書で説明する技法は、上述のシステムおよび無線技術、ならびに他のシステムおよび無線技術に使用され得る。
【００３７】
[0080]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、必要に応じて様々な手順または構成要素を省略、置換、または追加することができる。たとえば、説明する方法は、説明する順序と異なる順序で実行され得、様々なステップが追加、省略、または組み合わせられ得る。また、いくつかの実施形態に関して説明する特徴は、他の実施形態において組み合わせられ得る。
【００３８】
[0081]最初に図１を参照すると、ブロック図は、様々な実施形態によるワイヤレス通信システム１００の一例を示す。システム１００は、基地局１０５と、ユーザ機器１１５と、コントローラ１２０と、コアネットワーク１３０とを含む（コントローラ１２０は、無線ネットワークコントローラまたはＲＮＣと呼ばれることがあり、いくつかの実施形態ではコアネットワーク１３０に組み込まれることがあり、いくつかの実施形態では、コントローラ１２０は基地局１０５に組み込まれることがある）。システム１００は、複数の搬送波（異なる周波数の波形信号）上での動作をサポートすることができる。マルチキャリア送信機は、複数のキャリアで同時に変調信号を送信し得る。各変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３９】
[0082]ユーザ機器１１５は、任意のタイプの移動局、モバイルデバイス、アクセス端末、加入者ユニット、またはユーザ機器であり得る。ユーザ機器１１５は、セルラーフォンとワイヤレス通信デバイスとを含み得るが、携帯情報端末（ＰＤＡ）、スマートフォン、タブレット、他のハンドヘルドデバイス、ネットブック、ノートブックコンピュータなどをも含み得る。したがって、ユーザ機器という用語は、任意のタイプのワイヤレスまたはモバイルの通信デバイスを含むように、特許請求の範囲を含めて以下で広く解釈されるべきである。
【００４０】
[0083]基地局１０５は、基地局アンテナを介してユーザ機器１１５とワイヤレス通信することができる。基地局１０５は、複数のキャリアを介してコントローラ１２０の制御下でユーザ機器１１５と通信するように構成され得る。基地局１０５サイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。ここでは、各基地局１０５に対するカバレージエリアは、１１０−ａ、１１０−ｂ、または１１０−ｃとして識別される。基地局に対するカバレージエリアは、セクタ（図示されないが、カバレージエリアの一部分だけを構成する）に分割され得る。システム１００は、異なるタイプの基地局１０５（たとえば、マクロ基地局、マイクロ基地局、フェムト基地局、および／またはピコ基地局）を含み得る。
【００４１】
[0084]様々な実施形態によれば、ユーザ機器１１５、基地局１０５、コアネットワーク１３０、および／またはコントローラ１２０のような、システム１００の様々な態様が、フレキシブル帯域幅とフレキシブル波形とを利用するように構成され得る。システム１００は、たとえば、ユーザ機器１１５と基地局１０５との間の送信１２５を示す。送信１２５は、ユーザ機器１１５から基地局１０５へのアップリンクおよび／もしくは逆方向リンク送信、ならびに／または基地局１０５からユーザ機器１１５へのダウンリンクおよび／もしくは順方向リンク送信を含み得る。送信１２５はフレキシブル波形および／または通常波形を含み得る。通常波形は、レガシー波形および／または通常波形と呼ばれることもある。
【００４２】
[0085]様々な実施形態によれば、ユーザ機器１１５、基地局１０５、コアネットワーク１３０、および／またはコントローラ１２０のような、システム１００の様々な態様が、フレキシブル帯域幅とフレキシブル波形とを利用するように構成され得る。たとえば、システム１００の様々な態様は、通常波形に適合するのに十分大きくないことがあるスペクトルの部分を利用し得る。ユーザ機器１１５、基地局１０５、コアネットワーク１３０、および／またはコントローラ１２０などのデバイスは、チップレートおよび／または帯域幅スケーリングファクタを、フレキシブル帯域幅および／またはフレキシブル波形を生成および／または利用するのに適応させるように構成され得る。システム１００のいくつかの態様は、通常サブシステムの時間に対するフレキシブルサブシステムの時間の膨張、またはスケールダウンとともに、（他のユーザ機器１１５、および／または基地局１０５を使用して実装され得る）通常サブシステムに対して生成され得る（いくつかのユーザ機器１１５、および／または基地局１０５などの）フレキシブル帯域幅サブシステムを形成することができる。
【００４３】
[0086]いくつかの実施形態では、ユーザ機器１１５、基地局１０５、コアネットワーク１３０、および／またはコントローラ１２０のようなシステム１００の様々な態様は、時間膨張を用いるフレキシブル帯域幅キャリアシステムで生じるデータレートスケーリングを補償するために、それらのシステムにおけるブロードキャストチャネル送信用のより高いデータレートを支援するように構成され得る。いくつかの実施形態では、基地局１０５は、時間膨張を用いる第１の帯域幅キャリアシステムのブロードキャストチャネルについてのターゲットレートを識別するように構成される。ブロードキャストチャネルにとって望ましい補償されたレートまたはより高いレートであるターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートである。いくつかの実施形態では、第２の帯域幅キャリアシステムは時間膨張を用いる。ターゲットレートは、ターゲットデータレートまたはターゲット繰返しレートであり得る。次いで基地局１０５は、ターゲットレートを利用して第１の帯域幅キャリアシステムのブロードキャスト情報を送信することができる。いくつかの実施形態では、第１の帯域幅キャリアシステムは、時間膨張を用いるフレキシブル帯域幅キャリアシステムであり、第２の帯域幅キャリアシステムは、通常帯域幅キャリアシステムである。データレートは、追加のブロードキャストチャネルを追加することによって、無線フレームサイクルにおけるＳＩＢおよび／またはＭＩＢのスケジューリングを最適化することによって、および／またはスケーリングされた拡散ファクタを利用することによって、実現され得る。ＳＩＢおよび／またはＭＩＢのスケジューリングの最適化は、無線フレームサイクルにおける特定の無線フレームにＳＩＢおよび／またはＭＩＢをマッピングすることを含み得る。いくつかの実施形態では、ユーザ機器１１５は、ターゲットレートで第１の帯域幅キャリアシステムのブロードキャストチャネルを通じて送信されたブロードキャスト情報を受信するように構成される。
【００４４】
[0087]いくつかの実施形態は、フレキシブル波形および／または通常波形を生成することができるユーザ機器および／または基地局を含み得る。フレキシブル波形は、通常波形よりも少ない帯域幅を占有し得る。たとえば、帯域エッジにおいて、通常波形を配置するのに十分な利用可能なスペクトルがないことがある。いくつかの実施形態におけるフレキシブル波形の場合、時間が膨張されると、波形によって占有される周波数が下がり、したがって、通常波形に適合するのに十分広くないことがあるスペクトルにフレキシブル波形を適合させることが可能になる。フレキシブル波形は、いくつかの実施形態では、帯域幅スケーリングファクタを使用することにより生成されることもある。他の実施形態は、レートまたはチップレートを変更することにより、スペクトルの一部分に適合するためのフレキシブル波形を生成し得る（たとえば、拡散ファクタが変化し得る）。いくつかの実施形態は、チップレートを変更し、または帯域幅スケーリングファクタを利用するための処理の周波数を変更することができる。処理の周波数を変更することは、補間レート、割込みレート、および／またはデシメーションレートを変更することを含み得る。いくつかの実施形態では、チップレートまたはフィルタリングにより利用される帯域幅スケーリングファクタは、デシメーションによって、ならびに／またはアナログデジタル変換器（ＡＤＣ）、デジタルアナログ変換器（ＤＡＣ）、および／もしくはオフラインクロックの周波数を変更することによって、変更され得る。少なくとも１つのクロックの周波数を変更するのに分割器が使用され得る。
【００４５】
[0088]いくつかの実施形態では、フレキシブルシステムまたはフレキシブル波形は、フラクショナルシステムまたはフラクショナル波形であってよい。フラクショナルシステムまたはフラクショナル波形は、それが通常システムまたは通常波形（たとえば、Ｎ＝１システム）よりも多くの可能性を提供し得るので、フレキシブルであり得る。通常システムまたは通常波形は、標準および／もしくはレガシーシステムまたは標準および／もしくはレガシー波形を指し得る。
【００４６】
[0089]図２Ａは、様々な実施形態による、基地局１０５−ａとユーザ機器１１５−ａとを伴うワイヤレス通信システム２００−ａの一例を示し、フレキシブル波形２１０−ａは、通常波形２２０−ａに適合するのに十分広くないスペクトルの一部分に適合する。システム２００−ａは、図１のシステム１００の一例であり得る。いくつかの実施形態では、フレキシブル波形２１０−ａは通常波形２２０−ａとオーバーラップする場合があり、この場合に通常波形２２０−ａは、基地局１０５−ａおよび／またはユーザ機器１１５−ａによっていずれかで送信される可能性がある。いくつかの実施形態は、複数のフレキシブル波形２１０を利用することもある。いくつかの実施形態では、別の基地局および／またはユーザ機器（図示せず）は、通常波形２２０−ａおよび／またはフレキシブル波形２１０−ａを送信することができる。図２Ｂは、基地局１０５−ｂとユーザ機器１１５−ｂとを伴うワイヤレス通信システム２００−ｂの一例を示し、フレキシブル波形２１０−ｂは、通常波形２２０−ｂなどの通常波形が適合しない可能性のあるガード帯域であり得る、帯域のエッジの近くのスペクトルの一部分に適合する。システム２００−ｂは、図１のシステム１００の一例であり得る。スケーリングされたフレキシブル波形２１０−ｂを利用して音声サービスをサポートするための同様の技法が、上述したように適用可能であり得る。
【００４７】
[0090]図３は、様々な実施形態による、基地局１０５−ｃおよび１０５−ｄならびにユーザ機器１１５−ｃおよび１１５−ｄをもつワイヤレス通信システム３００を示す。いくつかの実施形態では、基地局１０５−ｃ／１０５−ｄおよび／またはユーザ機器１１５−ｃ／１１５−ｄは、フレキシブル帯域幅キャリアシステム内で、音声サービスなどのサービスを提供するために構成され得る。たとえば、ユーザ機器１１５−ｃ／１１５−ｄと基地局１０５−ｃとの間の送信３０５−ａ、３０５−ｂ、および／または３０５−ｃは、フレキシブル波形を利用してスケーリングされた送信を伴う場合がある。
【００４８】
[0091]フレキシブル波形は、通常波形よりも少ない（または多い）帯域幅を占有するように生成され得る。たとえば、帯域エッジにおいて、通常波形を配置するのに十分な利用可能なスペクトルがないことがある。フレキシブル波形の場合、時間が膨張されると、波形によって占有される周波数が下がり、したがって、通常波形に適合するのに十分広くないことがあるスペクトルにフレキシブル波形を適合させることが可能になる。いくつかの実施形態では、フレキシブル波形は、通常波形に対する帯域幅スケーリングファクタＮを利用してスケーリングされ得る。帯域幅スケーリングファクタＮは、たとえば１、２、４などの整数値を含むが、それらに限定されない、多数の異なる値をとることができる。ただし、Ｎは整数ではなくてもよい。
【００４９】
[0092]図３に示すように、基地局１０５−ｃおよび／またはユーザ機器１１５−ｃは、送信３０５−ａにより通信することができる。通信がフレキシブル波形を利用するとき、基地局１０５−ｃは、フレキシブル波形を利用するブロードキャストチャネルについてのターゲットレートを識別することができる。ターゲットレートは、フレキシブル波形に関連するスケーリングから生じるより低いデータレートを補償するデータレートであり得る。補償は、通信のためのセルを識別し選択するためにユーザ機器１１５−ｃによって実行されるいくつかの手順が影響されることのないように、ブロードキャスト情報が一般にユーザ機器１１５−ｃに送信される際のデータレートを基地局１０５−ｃが効果的に維持することを可能にする。
【００５０】
[0093]基地局１０５−ｃおよび１０５−ｄは、フレキシブル帯域幅セルと通常帯域幅セルの両方をサポートすることができ、フレキシブル波形および／または通常波形を利用してユーザ機器１１５−ｃおよび１１５−ｄと通信することができる。基地局１０５−ｃとユーザ機器１１５−ｃおよび１１５−ｄとの間の通信がフレキシブル波形によるものであるとき、基地局１０５−ｃは、ユーザ機器１１５−ｃにブロードキャスト情報を通信するために１つのターゲットデータレートを利用することができ、ユーザ機器１１５−ｄにブロードキャスト情報を通信するために異なるターゲットデータレートまたは同じターゲットデータレートを利用することができる。基地局１０５−ｃと基地局１０５−ｄの両方がフレキシブル波形によりユーザ機器１１５−ｃと通信するとき、基地局１０５−ｃは、ユーザ機器１１５−ｃにブロードキャスト情報を通信するために１つのターゲットデータレートを利用することができ、基地局１０５−ｄは、ユーザ機器１１５−ｃにブロードキャスト情報を通信するために異なるターゲットデータレートまたは同じターゲットデータレートを利用することができる。
【００５１】
[0094]いくつかの実施形態は、フレキシブル波形を利用することから生じるレートスケーリングを補償するターゲットレートを実現するために異なる手法を利用する。いくつかの実施形態では、手法は、通常波形で利用される一般的レートまたは通常レートと同じであるか、または実質的に同じであるターゲットレートを識別することを伴う。すなわち、ターゲットレートは、スケーリングされたレートよりも高いだけではなく、一般的レートと同じくらい高いものであり得る。他の実施形態では、手法は、スケーリングされたレートよりもやや高いが、通常レートと同じくらい高いとは限らないターゲットレートを識別することを伴う。レートのいかなる上昇も、基地局によって利用される送信電力の量の増加を伴うので、どの手法が選択されても、ターゲットレートを通常レートにできるだけ近づけることと基地局における送信電力の制限との間のトレードオフを考慮し得る。
【００５２】
[0095]いくつかの実施形態は、追加の専門用語を利用する場合がある。新たなユニットＤが利用され得る。ユニットＤは膨張される。この単位は、無名数（unitless）であり、Ｎの値を有する。「膨張された時間（dilated time）」に関して、フレキシブルシステムにおける時間について語ることができる。たとえば、通常時間における、たとえば１０ミリ秒（ｍｓ）のスロットは、フレキシブル時間では１０Ｄｍｓと表され得る（注：これは、通常時間においてＮ＝１なので、通常時間であっても当てはまる。すなわち、Ｄは通常時間における１の値をもつので、１０Ｄｍｓ＝１０ｍｓである）。時間スケーリングにおいて、ほとんどの「秒」を「膨張した秒」で置き換えることができる。ヘルツ単位の周波数は１／ｓであることに留意されたい。いくつかの実施形態は、やはり値Ｎを有し得るチップレート分割器（「Ｄｃｒ」）を利用することもできる。
【００５３】
[0096]上述したように、フレキシブル波形は、通常波形よりも少ない帯域幅を占有する波形であり得る。したがって、フレキシブル帯域幅キャリアシステムでは、同じ数のシンボルおよびビットが、通常帯域幅キャリアシステムと比較して、より長い持続時間にわたって送信され得る。これにより時間の延長が生じることがあり、それにより、スロット持続時間、フレーム持続時間などが帯域幅スケーリングファクタＮのだけ増加することがある。帯域幅スケーリングファクタＮは、フレキシブル帯域幅（ＢＷ）に対する通常帯域幅の比を表し得る。したがって、フレキシブル帯域幅キャリアシステムにおけるデータレートは（通常レート×１／Ｎ）に等しくてよく、遅延は（通常遅延×Ｎ）に等しくてよい。一般に、フレキシブルシステムのチャネルＢＷ＝通常システムのチャネルＢＷ／Ｎである。遅延×ＢＷは不変のままであり得る。さらに、いくつかの実施形態では、フレキシブル波形は通常波形よりも多くの帯域幅を占有する波形であってもよい。
【００５４】
[0097]本明細書を通じて、通常システム、通常サブシステム、および／または通常波形という用語は、１に等しくてよい（たとえば、Ｎ＝１）帯域幅スケーリングファクタまたは通常もしくは標準チップレートを利用し得る実施形態を伴うシステム、サブシステム、および／または波形を指すのに利用され得る。これらの通常システム、通常サブシステム、および／または通常波形は、標準および／もしくはレガシーシステム、標準および／もしくはレガシーサブシステム、ならびに／または標準および／もしくはレガシー波形と呼ばれることもある。さらに、フレキシブルシステム、フレキシブルサブシステム、および／またはフレキシブル波形は、１に等しくない（たとえば、Ｎ＝２、４、８、１／２、１／４などの）帯域幅スケーリングファクタを利用し得る実施形態を伴うシステム、サブシステム、および／または波形を指すのに利用され得る。Ｎ＞１の場合、またはチップレートが低下した場合、波形の帯域幅は減少し得る。いくつかの実施形態は、帯域幅を増大させる帯域幅スケーリングファクタまたはチップレートを利用することができる。たとえば、Ｎ＜１である場合、またはチップレートが上昇した場合、波形は通常波形よりも広い帯域幅をカバーするように拡大され得る。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが通常もしくは標準システム、通常もしくは標準サブシステム、または通常もしくは標準波形（たとえば、Ｎ＝１システム）よりも多くの可能性を提供し得るので、フレキシブルであり得る。
【００５５】
[0098]次に図４Ａを参照すると、ブロック図は、様々な実施形態による、ブロードキャストチャネル送信におけるより高いデータレートを支援するように構成されたデバイス４００を示す。デバイス４００は、図１、図２Ａおよび図２Ｂ、図３、図２７、ならびに／または図２９を参照しながら説明する、基地局１０５の１つまたは複数の態様の一例でもあり得る。デバイス４００は、プロセッサでもあり得る。デバイス４００は、図１、図２Ａおよび図２Ｂ、図３、図２７、図２８、ならびに／または図２９を参照しながら説明するユーザ機器１１５の１つまたは複数の態様の一例であり得る。デバイス４００は、プロセッサでもあり得る。デバイス４００は、構成モジュール４０５、ブロードキャストチャネルモジュール４１５、および／または送信機モジュール４２５を含み得る。これらの構成要素の各々は、互いに通信している場合がある。
【００５６】
[0099]デバイス４００は、構成モジュール４０５、ブロードキャストチャネルモジュール４１５、および／または送信機モジュール４２０を通じて、フレキシブル帯域幅キャリアシステムを含む、異なるタイプの帯域幅キャリアシステムについてのブロードキャストチャネル送信におけるより高いデータレートを支援するように構成され得る。デバイス４００が基地局１０５の一例であるとき、構成モジュール４０５は、ネットワークを通じてＵＥから情報を受信し得る。ブロードキャストチャネルモジュール４１５は、時間膨張を用いる第１の帯域幅キャリアシステムのブロードキャストチャネルについてのターゲットレートを識別するように構成されてよく、ターゲットレートは、ブロードキャストチャネルについてのスケーリングされたレートよりも高い。データレートは、第２の帯域幅キャリアシステムのブロードキャストチャネルについての、帯域幅スケーリングファクタによってスケーリングされたレートであり得る。帯域幅スケーリングファクタは、整数値または有理数値であり得る。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、ターゲットレートは情報データレートを指し、情報データレートは、第２の帯域幅キャリアシステムのブロードキャストチャネルについてのレートと実質的に同じである。
【００５７】
[0100]ターゲットレートが識別されると、ブロードキャストチャネルモジュール４１５、および／または送信機モジュール４２５は、ターゲットレートを使用して第１の帯域幅キャリアシステムのブロードキャスト情報を送信することができる。ブロードキャスト情報は、アクセスのための信号強度情報、サービスプロバイダ情報、および近隣セル情報のうちの１つまたは複数を含み得る。ブロードキャスト情報は、ＰＬＭＮ選択、セル選択／再選択、およびあるセルから別のセルへのハンドオーバのうちの１つまたは複数に利用される情報を含み得る。
【００５８】
[0101]ブロードキャストチャネルモジュール４１５は、ターゲットレートを使用して第１の帯域幅キャリアシステムの両方のブロードキャストチャネルを通じてブロードキャスト情報が送信され得るように、第１の帯域幅キャリアシステムの追加のブロードキャストチャネルを追加するように構成され得る。ブロードキャストチャネルモジュール４１５は、ターゲットレートを使用してブロードキャスト情報を送信するのを容易にするために、第１の帯域幅キャリアシステムのブロードキャストチャネルについての無線フレームサイクルにおいて送信される各ＳＩＢおよび／またはＭＩＢのロケーションを利用するように構成され得る。ブロードキャストチャネルモジュール４１５は、無線フレームサイクルにおいて各ＳＩＢおよび／またはＭＩＢのロケーションをスケジュールするように構成され得る。ブロードキャストチャネルモジュール４１５は、無線フレームサイクルにおける特定の無線フレームにＳＩＢおよび／またはＭＩＢをマッピングするように構成されてよく、無線フレームの持続時間は帯域幅スケーリングファクタに基づく。ブロードキャストチャネルモジュール４１５は、ターゲットレートを使用してブロードキャスト情報を送信するのを容易にするために、第１の帯域幅キャリアシステムの１つまたは複数のプライマリブロードキャストチャネルに関するスケーリングされた拡散ファクタを利用するように構成されてよく、スケーリングされた拡散ファクタは、帯域幅スケーリングファクタによって、または帯域幅スケーリングファクタの分数によってスケーリングされる。いくつかの実施形態では、ユニバーサルモバイルテレコミュニケーションシステム（ＵＭＴＳ）の場合など、プライマリブロードキャストチャネルは、プライマリ共通制御物理チャネル（ＰＣＣＰＣＨ）である。
【００５９】
[0102]デバイス４００がユーザ機器１１５の一例であるとき、構成モジュール４０５は、ターゲットレートで第１の帯域幅キャリアシステムのブロードキャストチャネルを通じて送信されたブロードキャスト情報を受信するように構成され得る。デバイス４００のブロードキャストチャネルモジュール４１５および／または別の構成要素（図示せず）は、ユーザ機器との通信の候補セルを識別するためにブロードキャスト情報を処理することができる。候補セルの識別および／またはそれらのセルとの通信は、少なくとも部分的に、送信機モジュール４２５を通じて発生し得る。第１の帯域幅キャリアシステムのブロードキャストチャネルを通じて、および第１の帯域幅キャリアシステムの追加のブロードキャストチャネルを通じて、ターゲットレートで構成モジュール４０５および／またはブロードキャストチャネルモジュール４１５によってブロードキャスト情報が受信され得る。上述のように、ブロードキャスト情報は、たとえば、アクセスのための信号強度情報、サービスプロバイダ情報、および近隣セル情報のうちの１つまたは複数を含み得る。ブロードキャスト情報は、デバイス４００によってＰＬＭＮ選択、セル選択／再選択、およびあるセルから別のセルへのハンドオーバのうちの１つまたは複数に利用される情報を含み得る。
【００６０】
[0103]構成モジュール４０５および／またはブロードキャストチャネルモジュール４１５は、第１の帯域幅キャリアシステムのブロードキャストチャネルについての無線フレームサイクルを受信するように構成されてよく、ターゲットレートに基づいて無線フレームサイクルにおける特定の無線フレームにＳＩＢおよび／またはＭＩＢがマッピングされ、無線フレームの持続時間は、帯域幅スケーリングファクタに基づく。構成モジュール４０５および／またはブロードキャストチャネルモジュール４１５は、第１の帯域幅キャリアシステムの１つまたは複数のプライマリブロードキャストチャネルに関するスケーリングされた拡散ファクタに基づいて、ターゲットレートでブロードキャスト情報を受信するように構成されてよく、スケーリングされた拡散ファクタは、帯域幅スケーリングファクタによって、または帯域幅スケーリングファクタの分数によってスケーリングされる。いくつかの実施形態では、ＵＭＴＳの場合など、プライマリブロードキャストチャネルはＰＣＣＰＣＨである。
【００６１】
[0104]図４Ｂを参照すると、ブロック図は、様々な実施形態による、ブロードキャストチャネル送信におけるより高いデータレートを支援するように構成されたデバイス４００−ａを示す。デバイス４００−ａは、図４Ａのデバイス４００の一例であり得る。デバイス４００−ａはプロセッサでもあり得る。デバイス４００−ａは、構成モジュール４０５、ブロードキャストチャネルモジュール４１５−ａ、および／または送信機モジュール４２５を含み得る。これらの構成要素の各々は、互いに通信している場合がある。
【００６２】
[0105]ブロードキャストチャネルモジュール４１５−ａは、図４Ａのブロードキャストチャネルモジュール４１５の一例であり得る。ブロードキャストチャネルモジュール４１５−ａは、フレキシブル帯域幅キャリアシステムを含む、異なるタイプの帯域幅キャリアシステムについてのブロードキャストチャネル送信におけるより高いデータレートを支援することに関係する様々な態様に対処するための複数のモジュールを含み得る。ブロードキャストチャネルモジュール４１５−ａは、データレートモジュール４３０と、チャネルモジュール４３１と、ＳＩＢ／ＭＩＢモジュール４３２と、拡散ファクタモジュール４３３とを含み得る。
【００６３】
[0106]デバイス４００−ａが基地局１０５の一例であるとき、データレートモジュール４３０は、時間膨張を用いる第１の帯域幅キャリアシステムのブロードキャストチャネルについてのターゲットレートを識別するように構成されてよく、ターゲットレートは、ブロードキャストチャネルについてのスケーリングされたレートよりも高い。スケーリングされたレートは、第２の帯域幅キャリアシステムのブロードキャストチャネルについての、時間膨張とともに帯域幅スケーリングファクタによってスケーリングされたレートであり得る。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。チャネルモジュール４３１は、ターゲットレートを使用して第１の帯域幅キャリアシステムの両方のブロードキャストチャネルを通じてブロードキャスト情報が送信され得るように、第１の帯域幅キャリアシステムの追加のブロードキャストチャネルを追加するように構成され得る。ＳＩＢ／ＭＩＢモジュール４３２は、ターゲットレートを使用してブロードキャスト情報を送信するのを容易にするために、第１の帯域幅キャリアシステムのブロードキャストチャネルについての無線フレームサイクルにおいて送信される各ＳＩＢおよび／またはＭＩＢのロケーションを利用するように構成され得る。ＳＩＢ／ＭＩＢモジュール４３２は、無線フレームサイクルにおいて各ＳＩＢおよび／またはＭＩＢのロケーションをスケジュールするように構成され得る。ＳＩＢ／ＭＩＢモジュール４３２は、無線フレームサイクルにおける特定の無線フレームにＳＩＢおよび／またはＭＩＢをマッピングするように構成されてよく、無線フレームの持続時間は帯域幅スケーリングファクタに基づく。拡散ファクタモジュール４３３は、ターゲットレートを使用してブロードキャスト情報を送信するのを容易にするために、第１の帯域幅キャリアシステムの１つまたは複数のプライマリブロードキャストチャネルに関するスケーリングされた拡散ファクタを利用するように構成されてよく、スケーリングされた拡散ファクタは、帯域幅スケーリングファクタによって、または帯域幅スケーリングファクタの分数によってスケーリングされる。いくつかの実施形態では、ユニバーサルモバイルテレコミュニケーションシステム（ＵＭＴＳ）の場合など、プライマリブロードキャストチャネルは、プライマリ共通制御物理チャネル（ＰＣＣＰＣＨ）である。いくつかの実施形態では、ブロードキャストチャネルモジュール４１５−ａにおけるモジュールのうちの１つまたは複数は、デバイス４００−ａが基地局１０５の一例であるときに上述した特徴および態様のうちの少なくともいくつかを実行するために一緒に動作する。
【００６４】
[0107]デバイス４００−ａがユーザ機器１１５の一例であるとき、データレート４３０は、ターゲットレートで第１の帯域幅キャリアシステムのブロードキャストチャネルを通じて送信されたブロードキャスト情報を受信するように構成され得る。デバイス４００−ａのブロードキャストチャネルモジュール４１５−ａおよび／または別の構成要素（図示せず）は、ユーザ機器との通信の候補セルを識別するためにブロードキャスト情報を処理することができる。チャネルモジュール４３１は、第１の帯域幅キャリアシステムの２つ以上のブロードキャストチャネルを通じてターゲットレートでブロードキャスト情報を受信することに対処するように構成され得る。ＳＩＢ／ＭＩＢモジュール４３２は、ターゲットレートを生成するために無線フレームサイクルにおける最適化ＳＩＢ／ＭＩＢスケジュールが利用されるときに、ブロードキャスト情報を受信することに対処するように構成され得る。拡散ファクタモジュール４３３は、ターゲットレートを生成するためにスケーリングされた拡散ファクタが利用されるときに、ブロードキャスト情報を受信することに対処するように構成され得る。いくつかの実施形態では、ブロードキャストチャネルモジュール４１５−ａにおけるモジュールのうちの１つまたは複数は、デバイス４００−ａがユーザ機器１１５の一例であるときに上述した特徴および態様のうちの少なくともいくつかを実行するために一緒に動作する。
【００６５】
[0108]図４Ａおよび／または図４Ｂのデバイス４００および４００−ａの構成要素は、個別にまたは集合的に、ハードウェア中の適用可能な機能の一部または全部を実施するように適応された１つまたは複数の特定用途向け集積回路（ＡＳＩＣ）を用いて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装される場合がある。
【００６６】
[0109]以下で提示する様々な例および説明は、フレキシブル帯域幅キャリアシステムにおけるより高いデータレートを支援するためのＵＭＴＳブロードキャストチャネル（ＢＣＨ）パラメータおよび／または動作への適応に関係するが、ＵＭＴＳ  ＢＣＨに関連して説明する同一または同様の概念および／または特徴は、他のタイプのワイヤレス通信システムおよび／またはチャネルに適用され得る。
【００６７】
[0110]ＵＭＴＳでは、ブロードキャストチャネルは１２．３キロビット毎秒（ｋｂｐｓ）のユーザデータレートをサポートし得る。時間膨張を用いるフレキシブル帯域幅キャリアシステムの場合、レートは帯域幅スケーリングファクタ（Ｎ）によってスケーリングされ得る。たとえば、Ｎ＝２であるとき、ブロードキャストチャネルは６．１５ｋｂｐｓ（１２．３ｋｂｐｓ／２）のユーザデータレートをサポートすることができる。別の例では、Ｎ＝４であるとき、ブロードキャストチャネルは３．０７５ｋｂｐｓ（１２．３ｋｂｐｓ／４）のユーザデータレートをサポートすることができる。より低いユーザデータレートは、適時にＭＩＢとＳＩＢとを読み取ることに依存する、ユーザ機器によって実行される手順のパフォーマンスに影響を与え得る。ＭＩＢは頻繁に（たとえば、８０ミリ秒ごとに）送信され、スケジューリングブロック（ＳＢ）のための、およびいくつかのＳＩＢのためのタイミング情報を提供する。ユーザ機器がキャンピングし得るセルを決定することに関わる、たとえば、ＳＩＢ１、ＳＩＢ３、ＳＩＢ５、ＳＩＢ７、およびＳＩＢ１１などのいくつかのＳＩＢがある。それらのＳＩＢの読取りがより低い（すなわち、スケーリングされたの）ユーザデータレートに影響された場合、ユーザ機器が通信のためのセルを識別し選択する能力も影響され得る。
【００６８】
[0111]次に図５を参照すると、テーブル５００は、ＵＭＴＳブロードキャストチャネルにおいて利用される様々なパラメータを示す。テーブル５００に記載されたパラメータは、トランスポートブロックサイズと、巡回冗長検査（ＣＲＣ）と、コーディングと、送信時間間隔（ＴＴＩ）と、チャネライゼーションコードの数と、拡散ファクタ（ＳＦ）と、プライマリブロードキャストチャネル（ＰＣＣＰＣＨ）についてのチャネライゼーションコードと、チャネルシンボルレートと、チャネルビットレートと、ユーザデータレートとを含む。ユーザデータレートは、ＣＲＣとテールビットとを含む必要がない。テーブル５００に示すパラメータの値は、通常帯域幅キャリアシステムで一般的に使用される値である。それらの値のうちの少なくともいくつかは、時間膨張を用いるフレキシブル帯域幅キャリアシステムにおけるブロードキャストチャネルについてのより高いデータレートを支援するように適応または変更され得る。
【００６９】
[0112]図６を参照すると、１５個のスロットを含むＵＭＴＳ  ＰＣＣＰＣＨについての無線フレーム構造６００が示されており、各スロットは２５６０チップまたは２０ビットを有する。各スロットにおける最初の２５６チップは利用されない（９０％のデューティサイクル）。無線フレーム構造６００のデータ部分は２３０４チップまたは１８ビットの情報を含む。無線フレーム構造６００の持続時間は１０ミリ秒（ｍｓ）であり、ブロードキャストチャネルトランスポートブロックごとに２つの無線フレーム構造６００がある。無線フレーム構造６００におけるスロットの各々の持続時間は０．６７ｍｓである。
【００７０】
[0113]図７を参照すると、ＵＭＴＳ  ＢＣＨについてのチャネライゼーションコードツリー７００が示されており、ツリーにおけるＵＭＴＳ  ＰＣＣＰＣＨの位置を示している。たとえば、パイロットチャネルである、ＵＭＴＳにおける共通パイロットチャネル（ＣＰＩＣＨ）がＣch,256,0コードに位置する一方、プライマリブロードキャストチャネルであるＰＣＣＰＣＨはＣch,256,1コードに位置する。
【００７１】
[0114]図８を参照すると、１２８のフレームサイクル期間と１０ｍｓのフレーム持続時間とを有するＵＭＴＳ  ＳＩＢスケジューリングのための無線フレームサイクル８００が示される。無線フレームサイクル８００は、無線フレームサイクルにおける特定のシステムフレーム番号（ＳＦＮ）またはＳＦＮ範囲へのＭＩＢ、ＳＩＢ１、ＳＩＢ３、ＳＩＢ４、ＳＩＢ５、ＳＩＢ７、およびＳＩＢ１１のマッピングまたはスケジューリングを示す。無線フレームサイクル８００は、無線フレームＳＦＮサイクル８００と呼ばれることもある。ＳＩＢのスケジューリングは少なくとも以下のスケジューリングパラメータによって表され得る。特定のＳＩＢについてのセグメントの数を示すＳＥＧ＿ＣＯＵＮＴ、無線フレームサイクルにおいてそれらのセグメントが繰り返される頻度を示すＳＩＢ＿ＲＥＰ、および（ＳＦＮ繰返しサイクルの範囲が０〜４０９５である、ＳＦＮユニットで示される）無線フレームサイクルにおけるＳＩＢの最初の位置またはロケーションを示すＳＩＢ＿ＰＯＳ。
【００７２】
[0115]たとえば、ＳＩＢ１の場合、単一のセグメントを有し、無線フレームサイクルにおいてフレーム３８に１回現れており、スケジューリングパラメータはＳＥＧ＿ＣＯＵＮＴ＝１、ＳＩＢ＿ＲＥＰ＝１２８およびＳＩＢ＿ＰＯＳ＝３８である。ＳＩＢ７は、ＳＥＧ＿ＣＯＵＮＴおよびＳＩＢ＿ＲＥＰについては同じ値を有し、ＳＩＢ＿ＰＯＳ＝３６である。ＳＩＢ３およびＳＩＢ４の場合、単一のセグメントを有し、無線フレームサイクルにおいて２回現れており、ＳＥＧ＿ＣＯＵＮＴ＝１およびＳＩＢ＿ＲＥＰ＝６４である。ただし、ＳＩＢ３の場合には、ＳＩＢ３の最初のロケーションがフレーム３４にあることを示すＳＩＢ＿ＰＯＳ＝３４である一方、ＳＩＢ４の場合には、ＳＩＢ４の最初のロケーションがフレーム３６にあることを示すＳＩＢ＿ＰＯＳ＝３６である。ＳＩＢ５およびＳＩＢ１１の場合、３つのセグメントを有し、無線フレームサイクルにおいて１回現れており、ＳＥＧ＿ＣＯＵＮＴ＝３およびＳＩＢ＿ＲＥＰ＝１２８であり、ＳＩＢ５の場合にはＳＩＢ＿ＰＯＳ＝４２、ＳＩＢ１１の場合にはＳＩＢ＿ＰＯＳ＝１０２である。
【００７３】
[0116]図５〜図８に関して上記で提供した情報は、通常帯域幅キャリアシステムについてのＵＭＴＳブロードキャストチャネルに関連する一般的な動作を示している。たとえば、チャネライゼーションコード７００が、通常帯域幅キャリアシステムに使用される正確なコードを表し得る一方、無線フレームＳＦＮサイクル８００は、使用されるスケジューリングのタイプの一般的な例を表し得る。時間膨張を用いるフレキシブル帯域幅キャリアシステムの場合、上述したパラメータのうちの１つまたは複数は、フレキシブル波形を利用することから生じるスケーリングを補償するように変更、修正または適応され得る。以下では、時間膨張を用いるフレキシブル帯域幅キャリアシステムについてのより高いユーザデータレートを支援するようにブロードキャストチャネルの１つまたは複数のパラメータを変更、修正または適応するために取られ得る手法の様々な例を提供する。
【００７４】
[0117]次に図９を参照すると、テーブル５００−ａは、帯域幅スケーリングファクタＮ＝２のときの時間膨張を用いるフレキシブル帯域幅キャリアシステムについてのより高いユーザデータレートを支援するためのＵＭＴＳブロードキャストチャネルについての修正パラメータの第１の例を示す。チャネルシンボルレート、チャネルビットレート、およびユーザデータレートは、テーブル５００における同じパラメータの値の半分である。その上、ここではＴＴＩは、テーブル５００に示す２０ｍｓからの時間膨張により、４０ｍｓに対応する。より低いユーザデータレート（すなわち、６．１５ｋｂｐｓ対１２．３ｋｂｐｓ）を補償するために、ＳＩＢスケジューリングが最適化され得る。１つの最適化手法は、図８における無線フレームＳＦＮサイクル８００を利用することであり、ここでは無線フレームが１０ｍｓの代わりに２０ｍｓであり、スロットが０．６７ｍｓの代わりに１．３３ｍｓであり、ここではこれらはすべて時間膨張によるものである。ＳＦＮは２０ｍｓの無線フレームごとに増える。別の最適化手法については、図１０に関して後述する。図９に示す例は、ユーザデータレートを元の１２．３ｋｂｐｓに上昇させたいという望みと、より高いデータレートで送信するために基地局において利用可能であり得る電力の量の制限または制約との間で妥協が行われるときに利用され得る。
【００７５】
[0118]次に図１０を参照すると、時間膨張のために２５６のフレームサイクル期間と２０ｍｓの無線フレーム持続時間とを有するＵＭＴＳ  ＳＩＢスケジューリングのための無線フレームＳＦＮサイクル８００−ａが示される。ただし、ＳＦＮは２０ｍｓの無線フレームごとには増えない。代わりに、ＳＦＮは１０ｍｓごとに増える。無線フレームサイクル８００−ａは、無線フレームサイクルにおける特定のＳＦＮ範囲へのＭＩＢ、ＳＩＢ１、ＳＩＢ３、ＳＩＢ４、ＳＩＢ５、ＳＩＢ７、およびＳＩＢ１１のマッピングまたはスケジューリングを示す。たとえば、ＳＩＢ１の場合、単一のセグメントを有し、無線フレームサイクルにおいてフレーム７６に１回現れており、スケジューリングパラメータはＳＥＧ＿ＣＯＵＮＴ＝１、ＳＩＢ＿ＲＥＰ＝２５６およびＳＩＢ＿ＰＯＳ＝７６である。ＳＩＢ７は、ＳＥＧ＿ＣＯＵＮＴおよびＳＩＢ＿ＲＥＰについては同じ値を有し、ＳＩＢ＿ＰＯＳ＝７２である。ＳＩＢ３およびＳＩＢ４の場合、単一のセグメントを有し、無線フレームサイクルにおいて２回現れており、ＳＥＧ＿ＣＯＵＮＴ＝１およびＳＩＢ＿ＲＥＰ＝１２８である。ただし、ＳＩＢ３の場合には、ＳＩＢ３の最初のロケーションがフレーム６８にあることを示すＳＩＢ＿ＰＯＳ＝６８である一方、ＳＩＢ４の場合には、ＳＩＢ４の最初のロケーションがフレーム７２にあることを示すＳＩＢ＿ＰＯＳ＝７２である。ＳＩＢ５およびＳＩＢ１１の場合、３つのセグメントを有し、無線フレームサイクルにおいて１回現れており、ＳＥＧ＿ＣＯＵＮＴ＝３およびＳＩＢ＿ＲＥＰ＝２５６であり、ＳＩＢ５の場合にはＳＩＢ＿ＰＯＳ＝８４、ＳＩＢ１１の場合にはＳＩＢ＿ＰＯＳ＝２０４である。すべてのＳＩＢについてのＳＩＢ＿ＲＥＰとＳＩＢ＿ＰＯＳの両方が、無線フレームＳＦＮサイクル８００に示す値と比較して、Ｎ＝２によってスケーリングされる。
【００７６】
[0119]次に図１１を参照すると、テーブル５００−ｂは、帯域幅スケーリングファクタＮ＝２のときのフレキシブル帯域幅キャリアシステムについてのより高いユーザデータレートを支援するためのＵＭＴＳブロードキャストチャネルについての修正パラメータの第２の例を示す。この場合には、拡散ファクタ（ＳＦ＝１２８）は、テーブル５００における拡散ファクタの値（ＳＦ＝２５６）の半分である。この手法は、プライマリブロードキャストチャネルのチャネライゼーションコードをＣch,128,1コードに変更することによって、ユーザデータレートを１２．３ｋｂｐｓのままにすることを可能にする。図１２は、この場合のチャネライゼーションコードツリーを示し、図１３Ａおよび図１３Ｂは、この場合のＳＩＢスケジューリング最適化を示す。
【００７７】
[0120]図１２を参照すると、図１１に関して上述したＮ＝２のときのＵＭＴＳブロードキャストチャネルについての修正パラメータの第２の例についてのチャネライゼーションコードツリー７００−ａが示される。この場合には、パイロットチャネルであるＣＰＩＣＨは、チャネライゼーションコードツリー７００の場合と同様にＣch,256,0コードに位置する。プライマリブロードキャストチャネルであるＰＣＣＰＣＨまたはプライマリチャネルは、ここではＣch,128,1コードに位置し得る。いくつかの実施形態では、パイロットチャネルはＣch,256コードに位置し、プライマリブロードキャストチャネルは、パイロットチャネルと衝突しないＣch,128コードのうちのいずれかに位置する。
【００７８】
[0121]次に図１３Ａを参照すると、時間膨張のために６４のフレームサイクル期間と２０ｍｓの無線フレーム持続時間とを有するＵＭＴＳ  ＳＩＢスケジューリングのための無線フレームサイクルＳＦＮ８００−ｂが示される。ＳＦＮは２０ｍｓの無線フレームごとに増える。無線フレームＳＦＮサイクル８００−ｂは、図１１に示す例の１つのＳＩＢスケジューリング最適化であり得る。無線フレームＳＦＮサイクル８００−ｂは、無線フレームサイクルにおける特定のＳＦＮへのＭＩＢ、ＳＩＢ１、ＳＩＢ３、ＳＩＢ４、ＳＩＢ５、ＳＩＢ７、およびＳＩＢ１１のマッピングまたはスケジューリングを示す。たとえば、ＳＩＢ１の場合、単一のセグメントを有し、無線フレームサイクルにおいてフレーム１９に１回現れており、スケジューリングパラメータはＳＥＧ＿ＣＯＵＮＴ＝１、ＳＩＢ＿ＲＥＰ＝６４およびＳＩＢ＿ＰＯＳ＝１９である。ＳＩＢ７は、ＳＥＧ＿ＣＯＵＮＴおよびＳＩＢ＿ＲＥＰについては同じ値を有し、ＳＩＢ＿ＰＯＳ＝１８である。ＳＩＢ３およびＳＩＢ４の場合、単一のセグメントを有し、無線フレームサイクルにおいて２回現れており、ＳＥＧ＿ＣＯＵＮＴ＝１およびＳＩＢ＿ＲＥＰ＝３２である。ただし、ＳＩＢ３の場合には、ＳＩＢ３の最初のロケーションがフレーム１７にあることを示すＳＩＢ＿ＰＯＳ＝１７である一方、ＳＩＢ４の場合には、ＳＩＢ４の最初のロケーションがフレーム１８にあることを示すＳＩＢ＿ＰＯＳ＝１８である。ＳＩＢ５およびＳＩＢ１１の場合、３つのセグメントを有し、無線フレームサイクルにおいて１回現れており、ＳＥＧ＿ＣＯＵＮＴ＝３およびＳＩＢ＿ＲＥＰ＝６４であり、ＳＩＢ５の場合にはＳＩＢ＿ＰＯＳ＝２１、ＳＩＢ１１の場合にはＳＩＢ＿ＰＯＳ＝５１である。すべてのＳＩＢについてのＳＩＢ＿ＲＥＰとＳＩＢ＿ＰＯＳの両方が、無線フレームＳＦＮサイクル８００に示す値と比較して、１／２によってスケーリングされる。
【００７９】
[0122]図１３Ｂを参照すると、時間膨張のために１２８のフレームサイクル期間と２０ｍｓの無線フレーム持続時間とを有するＵＭＴＳ  ＳＩＢスケジューリングのための無線フレームＳＦＮサイクル８００−ｃが示される。ただし、ＳＦＮは２０ｍｓの無線フレームごとには増えない。代わりに、ＳＦＮは１０ｍｓごとに増える。無線フレームＳＦＮサイクル８００−ｃは、図１１に示す例の別のＳＩＢスケジューリング最適化であり得る。無線フレームＳＦＮサイクル８００−ｃは、無線フレームサイクルにおける特定のＳＦＮへのＭＩＢ、ＳＩＢ１、ＳＩＢ３、ＳＩＢ４、ＳＩＢ５、ＳＩＢ７、およびＳＩＢ１１のマッピングまたはスケジューリングを示す。無線フレームサイクルＳＦＮ８００−ｃにおけるＳＩＢのマッピングまたはスケジューリングは、無線フレームＳＦＮサイクル８００において説明したマッピングまたはスケジューリングと同じである。
【００８０】
[0123]次に図１４を参照すると、テーブル５００−ｃは、帯域幅スケーリングファクタＮ＝２のときの時間膨張を用いるフレキシブル帯域幅キャリアシステムについてのより高いユーザデータレートを支援するためのＵＭＴＳブロードキャストチャネルについての修正パラメータの第３の例を示す。この場合には、テーブル５００の場合の１つのチャネライゼーションコードの代わりに、ＳＦ＝２５６で２つのチャネライゼーションコードがある。この手法は、もう１つのＣch,256コードを追加することによって、ユーザデータレートを１２．３ｋｂｐｓのままにすることを可能にする。図１５は、この場合のチャネライゼーションコードツリーを示す。その上、図１４に示す例のＳＩＢスケジューリングを最適化するための２つの手法があり得る。第１の手法は２０ｍｓの無線フレームＳＦＮサイクル８００−ｂを利用することができ（すなわち、ＳＦＮは２０ｍｓの無線フレームごとに増える）、第２の手法は無線フレームＳＦＮサイクル８００−ｃを利用することができる（すなわち、ＳＦＮは１０ｍｓごとに増える）。
【００８１】
[0124]図１５を参照すると、図１４に関して上述したＮ＝２のときのＵＭＴＳブロードキャストチャネルについての修正パラメータの第３の例についてのチャネライゼーションコードツリー７００−ｂが示される。この場合には、パイロットチャネルであるＣＰＩＣＨは、チャネライゼーションコードツリー７００の場合と同様にＣch,256,0コードに位置する。ここでは、２つのプライマリブロードキャストチャネルまたはＰＣＣＰＣＨ、すなわち、Ｃch,256,1コードに位置するプライマリチャネル１、およびＣch,256,2コードに位置し得るプライマリチャネル２がある。図１５に示す例は、隣接するＣh,256コードにおける２つのプライマリチャネルを示しているが、プライマリチャネル２は、パイロットチャネルおよびプライマリチャネル１のコード以外の、Ｃch,256コードの任意の他の場所に位置し得る。
【００８２】
[0125]次に図１６を参照すると、テーブル５００−ｄは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第１の例を示す。チャネルシンボルレート、チャネルビットレート、およびユーザデータレートは、テーブル５００における同じパラメータの値と比較して、４によってスケールダウンされる。その上、ここではＴＴＩは、テーブル５００に示す２０ｍｓからの時間膨張により、８０ｍｓに対応する。より低いユーザデータレート（すなわち、３．０７５ｋｂｐｓ対１２．３ｋｂｐｓ）を補償するために、ＳＩＢスケジューリングが最適化され得る。１つの最適化手法は、図８における無線フレームＳＦＮサイクル８００を利用することであり、ここでは無線フレームが１０ｍｓの代わりに４０ｍｓであり、スロットが０．６７ｍｓの代わりに２．６７ｍｓであり、これらはすべて時間膨張によるものである。ＳＦＮは４０ｍｓの無線フレームごとに増える。別の最適化手法については、図１７に関して後述する。
【００８３】
[0126]次に図１７を参照すると、時間膨張のために５１２のフレームサイクル期間と４０ｍｓの無線フレーム持続時間とを有するＵＭＴＳ  ＳＩＢスケジューリングのための無線フレームＳＦＮサイクル８００−ｄが示される。ただし、ＳＦＮは４０ｍｓの無線フレームごとには増えない。代わりに、ＳＦＮは１０ｍｓごとに増える。無線フレームＳＦＮサイクル８００−ｄは、無線フレームサイクルにおける特定のＳＦＮ範囲へのＭＩＢ、ＳＩＢ１、ＳＩＢ３、ＳＩＢ４、ＳＩＢ５、ＳＩＢ７、およびＳＩＢ１１のマッピングまたはスケジューリングを示す。たとえば、ＳＩＢ１の場合、単一のセグメントを有し、無線フレームサイクルにおいてフレーム１５２に１回現れており、スケジューリングパラメータはＳＥＧ＿ＣＯＵＮＴ＝１、ＳＩＢ＿ＲＥＰ＝５１２およびＳＩＢ＿ＰＯＳ＝１５２である。ＳＩＢ７は、ＳＥＧ＿ＣＯＵＮＴおよびＳＩＢ＿ＲＥＰについては同じ値を有し、ＳＩＢ＿ＰＯＳ＝１４４である。ＳＩＢ３およびＳＩＢ４の場合、単一のセグメントを有し、無線フレームサイクルにおいて２回現れており、ＳＥＧ＿ＣＯＵＮＴ＝１およびＳＩＢ＿ＲＥＰ＝２５６である。ただし、ＳＩＢ３の場合には、ＳＩＢ３の最初のロケーションがフレーム１３６にあることを示すＳＩＢ＿ＰＯＳ＝１３６である一方、ＳＩＢ４の場合には、ＳＩＢ４の最初のロケーションがフレーム１４４にあることを示すＳＩＢ＿ＰＯＳ＝１４４である。ＳＩＢ５およびＳＩＢ１１の場合、３つのセグメントを有し、無線フレームサイクルにおいて１回現れており、ＳＥＧ＿ＣＯＵＮＴ＝３およびＳＩＢ＿ＲＥＰ＝５１２であり、ＳＩＢ５の場合にはＳＩＢ＿ＰＯＳ＝１６８、ＳＩＢ１１の場合にはＳＩＢ＿ＰＯＳ＝４０８である。すべてのＳＩＢについてのＳＩＢ＿ＲＥＰとＳＩＢ＿ＰＯＳの両方が、無線フレームサイクル８００に示す値と比較して、Ｎ＝４によってスケーリングされる。
【００８４】
[0127]次に図１８を参照すると、テーブル５００−ｅは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第２の例を示す。この場合には、ここではＴＴＩは、テーブル５００の場合の２０ｍｓの代わりに、時間膨張のために４０ｍｓに対応し、拡散ファクタ（ＳＦ＝６４）は、テーブル５００における拡散ファクタの値（ＳＦ＝２５６）の１／４である。ただし、ここではＴＴＩごとに、テーブル５００の場合のただ１つの代わりに２つのブロードキャストチャネルトランスポートブロックがある。この手法は、プライマリブロードキャストチャネルのチャネライゼーションコードをＣch,64,1コードに変更することによって、ユーザデータレートを１２．３ｋｂｐｓのままにすることを可能にする。図１２は、この場合のチャネライゼーションコードツリーを示し、図１３Ａおよび図１３Ｂは、この場合のＳＩＢスケジューリング最適化を示す。
【００８５】
[0128]図１９を参照すると、図１８に関して上述したＮ＝４のときのＵＭＴＳブロードキャストチャネルについての修正パラメータの第２の例についてのチャネライゼーションコードツリー７００−ｃが示される。この場合には、パイロットチャネルであるＣＰＩＣＨは、チャネライゼーションコードツリー７００の場合と同様にＣch,256,0コードに位置する。プライマリブロードキャストチャネルであるＰＣＣＰＣＨまたはプライマリチャネルは、ここではＣch,64,1コードに位置し得る。いくつかの実施形態では、プライマリブロードキャストチャネルは、パイロットチャネルと衝突しないＣch,64コードのうちのいずれかに位置する。
【００８６】
[0129]次に図２０Ａを参照すると、３２のフレームサイクル期間と４０ｍｓの無線フレーム持続時間と、４０ｍｓのＴＴＩごとに２つのトランスポートブロック（ＴＢ１、ＴＢ２）とを有するＵＭＴＳ  ＳＩＢスケジューリングのための無線フレームＳＦＮサイクル８００−ｅが示される。ＳＦＮは４０ｍｓの無線フレームごとに増える。無線フレームＳＦＮサイクル８００−ｅは、図１９に示す例の１つのＳＩＢスケジューリング最適化であり得る。無線フレームＳＦＮサイクル８００−ｅは、無線フレームサイクルにおけるＳＦＮの特定のトランスポートブロックへのＭＩＢ、ＳＩＢ１、ＳＩＢ３、ＳＩＢ４、ＳＩＢ５、ＳＩＢ７、およびＳＩＢ１１のマッピングまたはスケジューリングを示す。たとえば、ＳＩＢ１の場合、単一のセグメントを有し、無線フレームサイクルにおいてフレーム９およびＴＢ２に１回現れており、スケジューリングパラメータはＳＥＧ＿ＣＯＵＮＴ＝１、ＳＩＢ＿ＲＥＰ＝３２およびＳＩＢ＿ＰＯＳ＝９（ＢＣＨ  ＴＢ２）である。ＳＩＢ７は、ＳＥＧ＿ＣＯＵＮＴおよびＳＩＢ＿ＲＥＰについては同じ値を有し、ＳＩＢ＿ＰＯＳ＝９（ＢＣＨ  ＴＢ１）である。ＳＩＢ３およびＳＩＢ４の場合、単一のセグメントを有し、無線フレームサイクルにおいて２回現れており、ＳＥＧ＿ＣＯＵＮＴ＝１およびＳＩＢ＿ＲＥＰ＝３２である。ただし、ＳＩＢ３の場合には、ＳＩＢ３の最初のロケーションがフレーム８およびＴＢ２にあることを示すＳＩＢ＿ＰＯＳ＝８（ＢＣＨ  ＴＢ２）である一方、ＳＩＢ４の場合には、ＳＩＢ４の最初のロケーションがフレーム９およびＴＢ１にあることを示すＳＩＢ＿ＰＯＳ＝９（ＢＣＨ  ＴＢ１）である。ＳＩＢ５およびＳＩＢ１１の場合、３つのセグメントを有し、無線フレームサイクルにおいて１回現れており、ＳＥＧ＿ＣＯＵＮＴ＝３およびＳＩＢ＿ＲＥＰ＝３２であり、ＳＩＢ５の場合にはＳＩＢ＿ＰＯＳ＝１０（ＢＣＨ  ＴＢ２）、ＳＩＢ１１の場合にはＳＩＢ＿ＰＯＳ＝１１（ＢＣＨ  ＴＢ１）である。すべてのＳＩＢについてのＳＩＢ＿ＲＥＰとＳＩＢ＿ＰＯＳの両方が、無線フレームサイクル８００に示す値と比較して、１／４でスケーリングされる。
【００８７】
[0130]図２０Ｂを参照すると、時間膨張のために１２８のフレームサイクル期間と４０ｍｓの無線フレーム持続時間とを有するＵＭＴＳ  ＳＩＢスケジューリングのための無線フレームＳＦＮサイクル８００−ｆが示される。ただし、ＳＦＮは４０ｍｓの無線フレームごとには増えない。代わりに、ＳＦＮは１０ｍｓごとに増える。無線フレームサイクル８００−ｆは、図１９に示す例の別のＳＩＢスケジューリング最適化であり得る。無線フレームサイクル８００−ｃは、無線フレームサイクルにおける特定のＳＦＮへのＭＩＢ、ＳＩＢ１、ＳＩＢ３、ＳＩＢ４、ＳＩＢ５、ＳＩＢ７、およびＳＩＢ１１のマッピングまたはスケジューリングを示す。無線フレームサイクル８００−ｆにおけるＳＩＢのマッピングまたはスケジューリングは、ＭＩＢセグメント間に追加のセグメントが導入されておらず、無線フレームサイクル８００において説明したマッピングまたはスケジューリングと同じである。
【００８８】
[0131]次に図２１を参照すると、テーブル５００−ｆは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第３の例を示す。この場合には、ここではＴＴＩは、テーブル５００における２０ｍｓと比較して、時間膨張のために４０ｍｓに対応し、テーブル５００の場合の１つのチャネライゼーションコードの代わりに、４つのチャネライゼーションコードがある。ただし、ここではＴＴＩごとに、テーブル５００の場合のただ１つではなく２つのブロードキャストチャネルトランスポートブロックがある。この手法は、さらに３つのＣch,256コードを追加することによって、ユーザデータレートを１２．３ｋｂｐｓのままにすることを可能にする。図２２は、この場合のチャネライゼーションコードツリーを示す。その上、図２１に示す例のＳＩＢスケジューリングを最適化するための２つの手法があり得る。第１の手法は無線フレームＳＦＮサイクル８００−ｅを利用することができ（すなわち、４０ｍｓの無線フレームごとに増える）、第２の手法は無線フレームＳＦＮサイクル８００−ｆを利用することができる（すなわち、１０ｍｓの無線フレームごとに増える）。
【００８９】
[0132]図２２を参照すると、図２１に関して上述したＮ＝４のときのＵＭＴＳブロードキャストチャネルについての修正パラメータの第３の例についてのチャネライゼーションコードツリー７００−ｄが示される。この場合には、パイロットチャネルであるＣＰＩＣＨは、チャネライゼーションコードツリー７００の場合と同様にＣch,256,0コードに位置する。ここでは、４つのプライマリブロードキャストチャネルまたはＰＣＣＰＣＨ、すなわち、Ｃch,256,1コードに位置するプライマリチャネル１、Ｃch,256,2コードに位置し得るプライマリチャネル２、Ｃch,256,3コードに位置し得るプライマリチャネル３、およびＣch,256,4コードに位置し得るプライマリチャネル４がある。図２２に示す例は、隣接するＣh,256コードにおける４つのプライマリチャネルを示すが、そうである必要はない。
【００９０】
[0133]次に図２３Ａを参照すると、テーブル５００−ｇは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第４の例を示す。この場合には、ここではＴＴＩは、テーブル５００における２０ｍｓと比較して、時間膨張のために４０ｍｓに対応し、ここでは拡散ファクタは、テーブル５００の場合の２５６の代わりに１２８であり、テーブル５００の場合の１つのチャネライゼーションコードの代わりに、２つのチャネライゼーションコードがある。ただし、ここではＴＴＩごとに、テーブル５００の場合のただ１つではなく２つのブロードキャストチャネルトランスポートブロックがある。この手法は、２つのＣch,128コードを利用することによって、ユーザデータレートを１２．３ｋｂｐｓのままにすることを可能にする。図２３Ｂは、この場合のチャネライゼーションコードツリーを示す。その上、図２３Ａに示す例のＳＩＢスケジューリングを最適化するための２つの手法があり得る。第１の手法は無線フレームＳＦＮサイクル８００−ｅを利用することができ（すなわち、ＳＦＮは４０ｍｓの無線フレームごとに増える）、第２の手法は無線フレームＳＦＮサイクル８００−ｆを利用することができる（すなわち、ＳＦＮは１０ｍｓごとに増える）。
【００９１】
[0134]図２３Ｂを参照すると、図２３Ａに関して上述したＮ＝４のときのＵＭＴＳブロードキャストチャネルについての修正パラメータの第４の例についてのチャネライゼーションコードツリー７００−ｅが示される。この場合には、パイロットチャネルであるＣＰＩＣＨは、チャネライゼーションコードツリー７００の場合と同様にＣch,256,0コードに位置する。ここでは、２つのプライマリブロードキャストチャネルまたはＰＣＣＰＣＨ、すなわち、Ｃch,128,1コードに位置し得るプライマリチャネル１、およびＣch,128,2コードに位置し得るプライマリチャネル２がある。図２３Ｂに示す例は、隣接するＣh,128コードにおける２つのプライマリチャネルを示すが、そうである必要はない。
【００９２】
[0135]次に図２４Ａを参照すると、テーブル５００−ｈは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第５の例を示す。チャネルシンボルレート、チャネルビットレート、およびユーザデータレートは、テーブル５００における同じパラメータの値の半分であり、ここではＴＴＩは、テーブル５００に示す２０ｍｓからの時間膨張により、４０ｍｓに対応する。ここでは拡散ファクタは、テーブル５００の場合の２５６の代わりに１２８であり、チャネライゼーションコードは、図１２の場合と同様にＣch,128,1コードである。より低いユーザデータレート（すなわち、６．１５ｋｂｐｓ対１２．３ｋｂｐｓ）を補償するために、ＳＩＢスケジューリングが最適化され得る。１つの最適化手法は、図１３Ａにおける無線フレームＳＦＮサイクル８００−ｂを利用することであり、ここでは無線フレームが４０ｍｓである。別の最適化手法は、図１３Ｂにおける無線フレームＳＦＮサイクル８００−ｃを利用することである。図２４Ａに示す例は、ユーザデータレートを元の１２．３ｋｂｐｓに上昇させたいという望みと、より高いデータレートで送信するために基地局において利用可能であり得る電力の量の制限または制約との間で妥協が行われるときに利用され得る。
【００９３】
[0136]次に図２４Ｂを参照すると、テーブル５００−ｉは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第６の例を示す。チャネルシンボルレート、チャネルビットレート、およびユーザデータレートは、テーブル５００における同じパラメータの値の半分であり、ここではＴＴＩは、テーブル５００に示す２０ｍｓからの時間膨張により、４０ｍｓに対応する。ここでは２つのチャネライゼーションコード（Ｃch,256,1およびＣch,256,2）がある。より低いユーザデータレート（すなわち、６．１５ｋｂｐｓ対１２．３ｋｂｐｓ）を補償するために、ＳＩＢスケジューリングが最適化され得る。１つの最適化手法は、図１３Ａにおける無線フレームサイクルＳＦＮ８００−ｂを利用することであり、ここでは無線フレームが４０ｍｓである。別の最適化手法は、図１３Ｂにおける無線フレームサイクルＳＦＮ８００−ｃを利用することである。図２４Ｂに示す例は、ユーザデータレートを元の１２．３ｋｂｐｓに上昇させたいという望みと、より高いデータレートで送信するために基地局において利用可能であり得る電力の量の制限または制約との間で妥協が行われるときに利用され得る。
【００９４】
[0137]次に図２５Ａを参照すると、テーブル５００−ｊは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第７の例を示す。この場合には、トランスポートブロックサイズは、テーブル５００における２４６ビットの代わりに３７０ビットを有する。ここではＴＴＩは、テーブル５００における２０ｍｓと比較して、時間膨張のために４０ｍｓに対応し、ここでは拡散ファクタは、ＳＦ＝１２８とＳＦ＝２５６とを含み、テーブル５００の場合の１つのチャネライゼーションコードの代わりに、２つのチャネライゼーションコードがあり、異なる拡散ファクタに各チャネライゼーションコードが関連付けられる。この手法は、ＵＭＴＳブロードキャストチャネルが、より高いデータレートで送信するために基地局において利用可能であり得る電力の量の制限または制約への妥協としてのより低いユーザデータレート（すなわち、９．２５ｋｂｐｓ対１２．３ｋｂｐｓ）を少なくとも部分的に補償することを可能にする。図２５Ｂは、この場合のチャネライゼーションコードツリーを示す。
【００９５】
[0138]図２５Ｂを参照すると、図２５Ａに関して上述したＮ＝４のときのＵＭＴＳブロードキャストチャネルについての修正パラメータの第７の例についてのチャネライゼーションコードツリー７００−ｆが示される。この場合には、パイロットチャネルであるＣＰＩＣＨは、チャネライゼーションコードツリー７００の場合と同様にＣch,256,0コードに位置する。ここでは、２つのプライマリブロードキャストチャネルまたはＰＣＣＰＣＨ、すなわち、プライマリチャネル１がＣch,128,1コードに位置し、およびＣch,256,1コードに位置し得るプライマリチャネル２がある。
【００９６】
[0139]次に図２６Ａを参照すると、テーブル５００−ｋは、帯域幅スケーリングファクタＮ＝４のときの時間膨張を用いるフレキシブル帯域幅キャリアシステムについてのより高いユーザデータレートを支援するためのＵＭＴＳブロードキャストチャネルについての修正パラメータの第８の例を示す。この場合には、トランスポートブロックサイズは、テーブル５００における２４６ビットの代わりに３７０ビットを有する。ここではＴＴＩは、テーブル５００における２０ｍｓと比較して、時間膨張のために４０ｍｓに対応し、テーブル５００の場合の１つのチャネライゼーションコードの代わりに、３つのチャネライゼーションコードがある。この手法は、ＵＭＴＳブロードキャストチャネルが、より高いデータレートで送信するために基地局において利用可能であり得る電力の量の制限または制約への妥協としてのより低いユーザデータレート（すなわち、９．２５ｋｂｐｓ対１２．３ｋｂｐｓ）を少なくとも部分的に補償することを可能にする。図２６Ｂは、この場合のチャネライゼーションコードツリーを示す。
【００９７】
[0140]図２６Ｂを参照すると、図２６Ａに関して上述したＮ＝４のときのＵＭＴＳブロードキャストチャネルについての修正パラメータの第８の例についてのチャネライゼーションコードツリー７００−ｇが示される。この場合には、パイロットチャネルであるＣＰＩＣＨは、チャネライゼーションコードツリー７００の場合と同様にＣch,256,0コードに位置する。ここでは、３つのプライマリブロードキャストチャネルまたはＰＣＣＰＣＨ、すなわち、プライマリチャネル１はＣch,256,1コードに位置し、Ｃch,256,2コードに位置し得るプライマリチャネル２、およびＣch,256,3コードに位置し得るプライマリチャネル３がある。図２６Ｂに示す例は、隣接するＣh,256コードにおける３つのプライマリチャネルを示すが、そうである必要はない。
【００９８】
[0141]Ｎ＝２およびＮ＝４に関して上述した例は、例として提供されており、同一または同様の手法は、Ｎの分数値を含む、他の帯域幅スケーリングファクタに利用され得る。その上、上述した例は、時間膨張を用いるフレキシブル帯域幅キャリアシステムについてのより高いユーザデータレートを支援するために、基地局１０５および／またはユーザ機器１１５を含む、異なるタイプの通信デバイスで実装され得る。
【００９９】
[0142]図２７は、様々な実施形態による通信システム２７００のブロック図を示す。このシステム２７００は、図１に示すシステム１００、図２Ａおよび図２Ｂのシステム２００−ａおよび２００−ｂ、ならびに／または図３のシステム３００の態様の一例であり得る。基地局１０５−ｅは、アンテナ２７４５と、トランシーバモジュール２７５０と、メモリ２７７０と、プロセッサモジュール２７６５とを含むことができ、その各々は、（たとえば、１つまたは複数のバスを介して）互いに直接または間接的に通信していることがある。トランシーバモジュール２７５０は、アンテナ２７４５を介して、マルチモードユーザ機器であり得るユーザ機器１１５−ｅと双方向に通信するように構成され得る。トランシーバモジュール２７５０（および／または基地局１０５−ｅの他の構成要素）はまた、１つまたは複数のネットワークと双方向に通信するように構成され得る。場合によっては、基地局１０５−ｅは、ネットワーク通信モジュール２７７５を通じてネットワーク１３０−ａおよび／またはコントローラ１２０−ａと通信し得る。基地局１０５−ｅは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の一例であり得る。コントローラ１２０−ａは、場合によっては基地局１０５−ｅに、たとえばｅＮｏｄｅＢ基地局と統合され得る。
【０１００】
[0143]基地局１０５−ｅは、基地局１０５−ｍおよび基地局１０５−ｎなどの他の基地局１０５と通信することもできる。基地局１０５の各々は、様々な無線アクセス技法などの様々なワイヤレス通信技法を使用してユーザ機器１１５−ｅと通信することができる。場合によっては、基地局１０５−ｅは、基地局通信モジュール２７１５を利用して、１０５−ｍおよび／または１０５−ｎなど、他の基地局と通信することができる。いくつかの実施形態では、基地局通信モジュール２７１５は、基地局１０５のいくつかの間の通信を行うために、ＬＴＥワイヤレス通信技術内のＸ２インターフェースを提供し得る。いくつかの実施形態では、基地局１０５−ｅは、コントローラ１２０−ａおよび／またはネットワーク１３０−ａを通じて、他の基地局と通信することができる。
【０１０１】
[0144]メモリ２７７０は、ランダムアクセスメモリ（ＲＡＭ）と読取り専用メモリ（ＲＯＭ）とを含み得る。メモリ２７７０はまた、実行されるとプロセッサモジュール２７６５に本明細書で説明する様々な機能（たとえば、呼処理、データベース管理、メッセージルーティングなど）を実行させるように構成された命令を含んでいるコンピュータ可読、コンピュータ実行可能ソフトウェアコード２７７１を記憶し得る。代替的に、ソフトウェアコード２７７１は、プロセッサモジュール２７６５によって直接的に実行可能でないことがあるが、たとえば、コンパイルされ実行されると、コンピュータに本明細書で説明する機能を実行させるように構成され得る。
【０１０２】
[0145]プロセッサモジュール２７６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２７６５は、マイクロフォンを介してオーディオを受信し、そのオーディオを、受信されたオーディオを表す（たとえば、長さ２０ｍｓの）パケットに変換し、そのオーディオパケットをトランシーバモジュール２７５０に提供し、ユーザが話しているかどうかの指示を提供するように構成された、音声エンコーダ（図示せず）を含み得る。代替的に、エンコーダはパケットのみをトランシーバモジュール２７５０に提供し、パケット自体の提供または抑制／抑圧が、ユーザが話しているかどうかの指示を提供し得る。
【０１０３】
[0146]トランシーバモジュール２７５０は、パケットを変調し、変調されたパケットを送信のためにアンテナ２７４５に提供し、アンテナ２７４５から受信されたパケットを復調するように構成された、モデムを含み得る。基地局１０５−ｅのいくつかの例は単一のアンテナ２７４５を含み得るが、基地局１０５−ｅは、好ましくは、キャリアアグリゲーションをサポートし得る複数のリンクのための複数のアンテナ２７４５を含む。たとえば、ユーザ機器１１５−ｅとのマクロ通信をサポートするために１つまたは複数のリンクが使用され得る。
【０１０４】
[0147]図２７のアーキテクチャによると、基地局１０５−ｅは通信管理モジュール２７３０をさらに含み得る。通信管理モジュール２７３０は、他の基地局１０５との通信を管理し得る。例として、通信管理モジュール２７３０は、バスを介して基地局１０５−ｅの他の構成要素の一部またはすべてと通信している基地局１０５−ｅの構成要素であり得る。代替的に、通信管理モジュール２７３０の機能は、トランシーバモジュール２７５０の構成要素として実装され、コンピュータプログラム製品として実装され、および／またはプロセッサモジュール２７６５の１つもしくは複数のコントローラ要素として実装され得る。
【０１０５】
[0148]基地局１０５−ｅのための構成要素は、図４Ａおよび図４Ｂのデバイス４００および４００−ａに関して上述した態様を実装するように構成され得、簡潔のためにここで繰り返さないことがある。たとえば、ブロードキャストチャネルモジュール４１５−ｂは、図４Ａおよび図４Ｂのブロードキャストチャネルモジュール４００および４００−ａの一例であり得る。この点について、データレートモジュール４３０−ａ、チャネルモジュール４３１−ａ、ＳＩＢ／ＭＩＢモジュール４３２−ａ、および／または拡散ファクタモジュール４３３−ａは、図４Ｂに示す対応するモジュールの例であり得る。
【０１０６】
[0149]基地局１０５−ｅは、スペクトル識別モジュール２７２０を含むこともできる。スペクトル識別モジュール２７２０は、フレキシブル波形に利用可能なスペクトルを識別するために利用され得る。いくつかの実施形態では、ハンドオーバモジュール２７２５が、ある基地局１０５から別の基地局へのユーザ機器１１５−ｅのハンドオーバ手順を実施するために利用され得る。たとえば、ハンドオーバモジュール２７２５は、基地局１０５−ｅから別の基地局へのユーザ機器１１５−ｅのハンドオーバ手順を実施することができ、ここで、ユーザ機器１１５−ｅと基地局のうち１つとの間では通常波形が利用され、ユーザ機器と別の基地局との間ではフレキシブル波形が利用される。スケーリングモジュール２７１０は、フレキシブル波形を生成するようにチップレートをスケーリングおよび／または変更するために利用され得る。
【０１０７】
[0150]いくつかの実施形態では、トランシーバモジュール２７５０は、アンテナ２７４５と連携して、基地局１０５−ｅの他の考えられる構成要素とともに、フレキシブル波形および／または帯域幅スケーリングファクタに関する情報を基地局１０５−ｅからユーザ機器１１５−ｅに、他の基地局１０５−ｍ／１０５−ｎ、またはコアネットワーク１３０−ａに送信することができる。いくつかの実施形態では、トランシーバモジュール２７５０は、アンテナ２７４５と連携して、基地局１０５−ｅの他の考えられる構成要素とともに、フレキシブル波形および／または帯域幅スケーリングファクタなどの情報をユーザ機器１１５−ｅに、他の基地局１０５−ｍ／１０５−ｎ、またはコアネットワーク１３０−ａに、これらのデバイスまたはシステムがフレキシブル波形を利用できるように送信することができる。その上、いくつかの実施形態では、トランシーバモジュール２７５０は、アンテナ２７４５と連携して、基地局１０５−ｅの他の考えられる構成要素とともに、ターゲットレートで１つまたは複数のブロードキャストチャネルを通じてブロードキャスト情報などの情報をユーザ機器１１５−ｅに、他の基地局１０５−ｍ／１０５−ｎ、またはコアネットワーク１３０−ａに送信し得る。ターゲットレートは、時間膨張を用いるフレキシブル帯域幅キャリアシステムのブロードキャストチャネルについての補償されたデータレートであり得る。
【０１０８】
[0151]図２８は、様々な実施形態による，フレキシブル帯域幅キャリアシステムにおけるブロードキャストチャネル送信用のより高いデータレートを支援するように構成されたユーザ機器１１５−ｆのブロック図２８００である。ユーザ機器１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５−ｆは、モバイル動作を可能にするために、小型バッテリーなどの内部電源（図示せず）を有し得る。いくつかの実施形態では、ユーザ機器１１５−ｆは、図１、図２Ａ、図２Ｂ、図３、図２７、および／もしくは図２９のユーザ機器１１５、ならびに／または図４Ａおよび図４Ｂのデバイス４００および４００−ａであり得る。ユーザ機器１１５−ｆはマルチモードユーザ機器であってよい。ユーザ機器−ｆは、場合によってはワイヤレス通信デバイスまたはユーザ機器と呼ばれ得る。
【０１０９】
[0152]ユーザ機器１１５−ｆは、アンテナ２８４０と、トランシーバモジュール２８５０と、メモリ２８８０と、プロセッサモジュール２８７０とを含むことができ、その各々は、（たとえば、１つまたは複数のバスを介して）互いに直接または間接的に通信していることがある。トランシーバモジュール２８５０は、上述したように、アンテナ２８４０および／または１つもしくは複数のワイヤードもしくはワイヤレスリンクを介して、１つまたは複数のネットワークと双方向に通信するように構成され得る。たとえば、トランシーバモジュール２８５０は、図１、図２Ａおよび図２Ｂ、図３、図２７、ならびに／または図２９の基地局１０５と双方向に通信するように構成され得る。トランシーバモジュール２８５０は、パケットを変調し、変調されたパケットを送信のためにアンテナ２８４０に提供し、アンテナ２８４０から受信されたパケットを復調するように構成された、モデムを含み得る。ユーザ機器１１５−ｆは単一のアンテナを含み得るが、ユーザ機器１１５−ｆは通常、複数のリンクのための複数のアンテナ２８４０を含む。
【０１１０】
[0153]メモリ２８８０は、ランダムアクセスメモリ（ＲＡＭ）と読取り専用メモリ（ＲＯＭ）とを含み得る。メモリ２８８０は、実行されるとプロセッサモジュール２８７０に本明細書で説明する様々な機能（たとえば、呼処理、データベース管理、メッセージルーティングなど）を実行させるように構成された命令を含んでいるコンピュータ可読、コンピュータ実行可能ソフトウェアコード２８９５を記憶し得る。代替的に、ソフトウェアコード２８９５は、プロセッサモジュール２８７０によって直接的に実行可能でないことがあるが、（たとえば、コンパイルされ実行されると）コンピュータに本明細書で説明する機能を実行させるように構成され得る。
【０１１１】
[0154]プロセッサモジュール２８７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２８７０は、マイクロフォンを介してオーディオを受信し、そのオーディオを、受信されたオーディオを表す（たとえば、長さ３０ｍｓの）パケットに変換し、そのオーディオパケットをトランシーバモジュール２８５０に提供し、ユーザが話しているかどうかの指示を提供するように構成された、音声エンコーダ（図示せず）を含み得る。代替的に、エンコーダはパケットのみをトランシーバモジュール２８５０に提供し、パケット自体の提供または抑制／抑圧が、ユーザが話しているかどうかの指示を提供し得る。
【０１１２】
[0155]図２８のアーキテクチャによると、ユーザ機器１１５−ｆは通信管理モジュール２８６０をさらに含み得る。通信管理モジュール２８６０は、他のユーザ機器１１５との通信を管理し得る。例として、通信管理モジュール２８６０は、バスを介してユーザ機器１１５−ｆの他の構成要素の一部またはすべてと通信しているユーザ機器１１５−ｆの構成要素であり得る。代替的に、通信管理モジュール２８６０の機能は、トランシーバモジュール２８５０の構成要素として、コンピュータプログラム製品として、および／またはプロセッサモジュール２８７０の１つもしくは複数のコントローラ要素として実装され得る。
【０１１３】
[0156]ユーザ機器１１５−ｆのための構成要素は、図４Ａおよび図４Ｂのデバイス４００および４００−ａに関して上述した態様を実装するように構成され得、簡潔のためにここで繰り返さないことがある。たとえば、ブロードキャストチャネルモジュール４１５−ｃは、図４Ａおよび図４Ｂのブロードキャストチャネルモジュール４１５および４１５−ａの一例であり得る。この点について、データレートモジュール４３０−ｂ、チャネルモジュール４３１−ｂ、ＳＩＢ／ＭＩＢモジュール４３２−ｂ、および拡散ファクタモジュール４３３−ｂは、図４Ｂに示す対応するモジュールの例であり得る。
【０１１４】
[0157]ユーザ機器１１５−ｆは、スペクトル識別モジュール２８１５を含むこともできる。スペクトル識別モジュール２８１５は、フレキシブル波形に利用可能なスペクトルを識別するために利用され得る。いくつかの実施形態では、ハンドオーバモジュール２８２５が、ある基地局から別の基地局へのユーザ機器１１５−ｆのハンドオーバ手順を実施するために利用され得る。たとえば、ハンドオーバモジュール２８２５は、ある基地局から別の基地局へのユーザ機器１１５−ｆのハンドオーバ手順を実施することができ、ここで、ユーザ機器１１５−ｆと基地局のうち１つとの間では通常波形が利用され、ユーザ機器と別の基地局との間ではフレキシブル波形が利用される。スケーリングモジュール２８１０は、フレキシブル波形を生成するようにチップレートをスケーリングおよび／または変更するために利用され得る。周波数間探索モジュール２８７０は、ユーザ機器１１５−ｆが通信のために候補セルを識別し、それらのセルのうちの１つを選択することを可能にする測定を実行するために利用され得る。
【０１１５】
[0158]いくつかの実施形態では、トランシーバモジュール２８５０は、アンテナ２８４０と連携して、ユーザ機器１１５−ｆの他の考えられる構成要素とともに、フレキシブル波形および／または帯域幅スケーリングファクタに関する情報を、ユーザ機器１１５−ｆから基地局またはコアネットワークに送信することができる。いくつかの実施形態では、トランシーバモジュール２８５０は、アンテナ２８４０と連携して、ユーザ機器１１５−ｆの他の考えられる構成要素とともに、フレキシブル波形および／または帯域幅スケーリングファクタなどの情報を基地局またはコアネットワークに、これらのデバイスまたはシステムがフレキシブル波形を利用できるように送信することができる。その上、いくつかの実施形態では、トランシーバモジュール２８５０は、アンテナ２８４０と連携して、ユーザ機器１１５−ｆの他の考えられる構成要素とともに、ターゲットレートで１つまたは複数のブロードキャストチャネルを通じてブロードキャスト情報を受信し得る。ターゲットレートは、時間膨張を用いるフレキシブル帯域幅キャリアシステムのブロードキャストチャネルについての補償されたデータレートであり得る。
【０１１６】
[0159]図２９は、様々な実施形態による基地局１０５−ｆとユーザ機器１１５−ｇとを含むシステム２９００のブロック図である。このシステム２９００は、図１のシステム１００、図２Ａおよび図２Ｂのシステム２００−ａおよび２００−ｂ、ならびに／または図３のシステム３００の一例であってよい。基地局１０５−ｆは、アンテナ２９３４−ａ〜２９３４−ｘを備えてよく、ユーザ機器１１５−ｇは、アンテナ２９５２−ａ〜２９５２−ｎを備えてよい。基地局１０５−ｆにおいて、送信プロセッサ２９２０は、データソースからデータを受信することができる。
【０１１７】
[0160]送信機プロセッサ２９２０はデータを処理し得る。送信機プロセッサ２９２０はまた、基準シンボルとセル固有基準信号とを生成し得る。送信（ＴＸ）多入力多出力（ＭＩＭＯ）プロセッサ２９３０は、適用可能な場合、データシンボル、制御シンボル、および／または基準シンボルに対して空間処理（たとえば、プリコーディング）を実行し得、出力シンボルストリームを送信変調器２９３２ａ〜２９３２ｘに提供し得る。各変調器２９３２は、出力サンプルストリームを取得するために、（たとえば、ＯＦＤＭなどの）それぞれの出力シンボルストリームを処理することができる。各変調器２９３２は、ダウンリンク（ＤＬ）信号を取得するために、その出力サンプルストリームをさらに処理（たとえば、アナログ変換、増幅、フィルタリング、およびアップコンバート）することができる。一例では、変調器２９３２−ａ〜２９３２−ｘからのＤＬ信号は、それぞれ、アンテナ２９３４−ａ〜２９３４−ｘを介して送信され得る。送信機プロセッサ２９２０は、プロセッサ２９４０から情報を受信し得る。プロセッサ２９４０は、チップレートを変更すること、および／または帯域幅スケーリングファクタを利用することにより、フレキシブル波形を生成するように構成されてよく、この生成は、場合によっては動的に行われ得る。プロセッサ２９４０は、異なる整列および／またはオフセット手順も可能にし得る。プロセッサ２９４０はまた、他のサブシステム上で測定を実行すること、他のサブシステムへのハンドオフを実行すること、再選択を実行することなどを行うために、スケーリングおよび／またはチップレート情報を利用し得る。プロセッサ２９４０は、パラメータスケーリングを通じて、フレキシブル帯域幅の使用に関連する時間延長の影響を反転させることができる。いくつかの実施形態では、プロセッサ２９４０は、一般的なプロセッサ、送信機プロセッサ２９２０、および／または受信機プロセッサ２９３８の一部として実装され得る。プロセッサ２９４０は、メモリ２９４２に結合され得る。
【０１１８】
[0161]いくつかの実施形態では、プロセッサ２９４０および／またはＴｘプロセッサ２９２０は、ブロードキャストチャネル送信におけるより高いデータレートを支援するように構成され得る。たとえば、プロセッサ２９４０は、第１の帯域幅キャリアシステムのブロードキャストチャネルについてのターゲットレートを識別するように構成されてよく、ターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートであり得る。帯域幅スケーリングファクタは、整数値または有理数値であり得る。ターゲットレートは、ターゲットデータレートまたはターゲット繰返しレートであり得る。いくつかの実施形態では、第１の帯域幅キャリアシステムはフレキシブル帯域幅キャリアシステムであり、帯域幅スケーリングファクタはフレキシブル帯域幅キャリアシステムに対応し、第２の帯域幅キャリアシステムは通常帯域幅キャリアシステムである。いくつかの実施形態では、ターゲットレートは情報データレートを指し、情報データレートは、第２の帯域幅キャリアシステムのブロードキャストチャネルについてのレートと実質的に同じである。プロセッサ２９４０および／またはＴｘプロセッサ２９２０は、ブロードキャストチャネル送信におけるより高いデータレートを支援するために、システム情報送信およびマスタ情報送信についての異なる最適化スケジュール、異なるチャネライゼーションコードおよびチャネル、ならびに／または異なるスケーリングされた拡散ファクタを識別および／または利用するように構成され得る。第１の帯域幅キャリアシステムのブロードキャスト情報は、Ｔｘプロセッサ２９２０を通じて１つまたは複数のユーザ機器１１５−ｇにターゲットレートで送信され得る。
【０１１９】
[0162]ユーザ機器１１５−ｇにおいて、ユーザ機器アンテナ２９５２−ａ〜２９５２−ｎは、基地局１０５−ｆからＤＬ信号を受信することができ、また受信された信号を復調器２９５４−ａ〜２９５４−ｎにそれぞれ提供することができる。各復調器２９５４は、入力サンプルを取得するために、それぞれの受信された信号を調整（たとえば、フィルタリング、増幅、ダウンコンバート、およびデジタル化）することができる。各復調器２９５４はさらに、受信シンボルを取得するために、（たとえば、ＯＦＤＭなどの）入力サンプルを処理することができる。ＭＩＭＯ検出器２９５６は、すべての復調器２９５４−ａ〜２９５４−ｎから受信シンボルを取得し、適用可能な場合は受信シンボルに対してＭＩＭＯ検出を実施し、検出されたシンボルを提供し得る。受信プロセッサ２９５８が、検出されたシンボルを処理（たとえば、復調、デインターリーブ、および復号）し、ユーザ機器１１５−ｇの復号されたデータをデータ出力に提供し、復号された制御情報をプロセッサ２９８０、またはメモリ２９８２に提供し得る。
【０１２０】
[0163]アップリンク（ＵＬ）のときに、ユーザ機器１１５−ｇにおいて、送信機プロセッサ２９６４は、データソースからデータを受信して処理することができる。送信機プロセッサ２９６４は、基準信号のための基準シンボルを生成することもできる。送信機プロセッサ２９６４からのシンボルは、適用可能な場合には送信ＭＩＭＯプロセッサ２９６６によってプリコーディングされ、（たとえば、ＳＣ−ＦＤＭＡなどのために）復調器２９５４−ａ〜２９５４−ｎによってさらに処理され、基地局１０５−ｆから受信された送信パラメータに従って基地局１０５−ｆに送信されてもよい。送信機プロセッサ２９６４は、チップレートを変更すること、および／または帯域幅スケーリングファクタを利用することにより、フレキシブル波形を生成するように構成されてもよく、この生成は、場合によっては動的に行われ得る。送信機プロセッサ２９６４は、プロセッサ２９８０から情報を受信し得る。プロセッサ２９８０は、異なる整列および／またはオフセット手順を可能にし得る。プロセッサ２９８０はまた、他のサブシステム上で測定を実行すること、他のサブシステムへのハンドオフを実行すること、再選択を実行することなどを行うために、スケーリングおよび／またはチップレート情報を利用し得る。プロセッサ２９８０は、パラメータスケーリングを通じて、フレキシブル帯域幅の使用に関連する時間延長の影響を反転させることができる。基地局１０５−ｆにおいて、ユーザ機器１１５−ｇからのＵＬ信号は、アンテナ２９３４によって受信され、復調器２９３２によって処理され、適用可能な場合はＭＩＭＯ検出器２９３６によって検出され、さらに受信プロセッサによって処理され得る。受信プロセッサ２９３８は、復号されたデータをデータ出力とプロセッサ２９８０とに提供し得る。いくつかの実施形態では、プロセッサ２９８０は、一般的なプロセッサ、送信機プロセッサ２９６４、および／または受信機プロセッサ２９５８の一部として実装され得る。
【０１２１】
[0164]いくつかの実施形態では、プロセッサ２９８０および／またはＲＸプロセッサ２９５８は、ターゲットレートで第１の帯域幅キャリアシステムのブロードキャストチャネルを通じて送信されたブロードキャスト情報を受信するように構成され得る。プロセッサ２９８０および／またはＲＸプロセッサ２９５８は、ブロードキャストチャネル送信におけるより高いデータレートを支援するために、システム情報送信およびマスタ情報送信についての異なる最適化スケジュール、異なるチャネライゼーションコードおよびチャネル、ならびに／または異なるスケーリングされた拡散ファクタを識別および／または利用するように構成され得る。プロセッサ２９８０および／またはＲＸプロセッサ２９５８は、ユーザ機器との通信の候補セルを識別するためにブロードキャスト情報を処理することができる。
【０１２２】
[0165]図３０Ａを参照すると、様々な実施形態による、フレキシブル帯域幅キャリアシステムにおけるブロードキャストチャネルについてのより高いデータレートを提供するための方法３０００のフローチャートが示される。方法３０００は、図１、図２Ａ、図２Ｂ、図３、図２７、および／もしくは図２９に見られる基地局１０５、図４Ａに見られるデバイス４００、ならびに／または図４Ｂに見られるデバイス４００−ａを含むが、それらに限定されない様々なワイヤレス通信デバイスを利用して実装され得る。いくつかの実施形態では、基地局１０５はコントローラ１２０を含む。いくつかの実施形態では、方法３０００は、図１に見られるコアネットワーク１３０および／もしくはコントローラ１２０、ならびに／または図２７に見られるコアネットワーク１３０−ａおよび／もしくはコントローラ１２０−ａを含むが、それらに限定されない様々なワイヤレス通信デバイスを利用して実装され得る。
【０１２３】
[0166]ブロック３００５において、時間膨張を用いる第１の帯域幅キャリアシステムのブロードキャストチャネルについてターゲットレートが識別されてよく、ターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートであり得る。帯域幅スケーリングファクタは、整数値または有理数値であり得る。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。いくつかの実施形態では、ターゲットレートは情報データレートを指し、情報データレートは、第２の帯域幅キャリアシステムのブロードキャストチャネルについてのレートと実質的に同じである。
【０１２４】
[0167]ブロック３０１０において、ターゲットレートが識別されると、ターゲットレートを利用して第１の帯域幅キャリアシステムのブロードキャスト情報が送信され得る。ブロードキャスト情報は、アクセスのための信号強度情報、サービスプロバイダ情報、および近隣セル情報のうちの１つまたは複数を含み得る。ブロードキャスト情報は、ＰＬＭＮ選択、セル選択／再選択、およびあるセルから別のセルへのハンドオーバのうちの１つまたは複数に利用される情報を含み得る。
【０１２５】
[0168]方法３０００のいくつかの実施形態は、ターゲットレートを使用して第１の帯域幅キャリアシステムの両方のブロードキャストチャネルを通じてブロードキャスト情報が送信されるように、第１の帯域幅キャリアシステムの追加のブロードキャストチャネルを追加することを含む。いくつかの実施形態は、ターゲットレートを使用してブロードキャスト情報を送信するのを容易にするために、第１の帯域幅キャリアシステムのブロードキャストチャネルについての無線フレームサイクルにおいて送信される各ＳＩＢおよび／またはＭＩＢのロケーションを利用することを含む。無線フレームサイクルにおいて各ＳＩＢおよび／またはＭＩＢのロケーションがスケジュールされ得る。
【０１２６】
[0169]方法３０００のいくつかの実施形態は、無線フレームサイクルにおける特定の無線フレームにＳＩＢおよび／またはＭＩＢをマッピングすることを含み、無線フレームの持続時間は帯域幅スケーリングファクタに基づく。
【０１２７】
[0170]方法３００のいくつかの実施形態は、ターゲットレートを使用してブロードキャスト情報を送信するのを容易にするために、第１の帯域幅キャリアシステムの１つまたは複数のプライマリブロードキャストチャネルに関するスケーリングされた拡散ファクタを利用することを含み、スケーリングされた拡散ファクタは、帯域幅スケーリングファクタによって、または帯域幅スケーリングファクタの分数によってスケーリングされる。いくつかの実施形態では、プライマリブロードキャストチャネルはＵＭＴＳ  ＰＣＣＰＣＨである。
【０１２８】
[0171]図３０Ｂを参照すると、様々な実施形態による、フレキシブル帯域幅キャリアシステムにおけるブロードキャストチャネルについてのより高いデータレートを提供するための方法３０００−ａのフローチャートが示される。上記の方法３０００と同様に、方法３０００−ａは、図１、図２Ａ、図２Ｂ、図３、図２７、および／もしくは図２９に見られる基地局１０５、図４Ａに見られるデバイス４００、ならびに／または図４Ｂに見られるデバイス４００−ａを含むが、それらに限定されない様々なワイヤレス通信デバイスを利用して実装され得る。いくつかの実施形態では、方法３０００−ａは、図１に見られるコアネットワーク１３０および／もしくはコントローラ１２０、ならびに／または図２７に見られるコアネットワーク１３０−ａおよび／もしくはコントローラ１２０−ａを含むが、それらに限定されない様々なワイヤレス通信デバイスを利用して実装され得る。方法３０００−ａは、図３０Ａの方法３０００の１つまたは複数の態様を含み得る。
【０１２９】
[0172]ブロック３００５−ａにおいて、時間膨張を用いる第１の帯域幅キャリアシステムのブロードキャストチャネルについてターゲットレートが識別されてよく、ターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートであり得る。帯域幅スケーリングファクタは、整数値または有理数値であり得る。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。いくつかの実施形態では、ターゲットレートは情報データレートを指し、情報データレートは、第２の帯域幅キャリアシステムのブロードキャストチャネルについてのレートと実質的に同じである。
【０１３０】
[0173]ブロック３００７において、追加のブロードキャストチャネルが追加される。追加のブロードキャストチャネルは、ＵＭＴＳ  ＰＣＣＰＣＨなどのプライマリブロードキャストチャネルであり得る。ブロック３０１０−ａにおいて、ターゲットレートが識別され、追加のチャネルブロードキャストが追加されると、ターゲットレートを利用して両方のブロードキャストチャネルを通じて第１の帯域幅キャリアシステムのブロードキャスト情報が送信され得る。いくつかの実施形態では、２つ以上のブロードキャストチャネルが追加され、すべての利用可能なブロードキャストチャネルを通じてブロードキャスト情報が送信される。
【０１３１】
[0174]図３０Ｃを参照すると、様々な実施形態による、フレキシブル帯域幅キャリアシステムにおけるブロードキャストチャネルについてのより高いデータレートを提供するための方法３０００−ｂのフローチャートが示される。上記の方法３０００および３０００−ａと同様に、方法３０００−ｂは、図１、図２Ａ、図２Ｂ、図３、図２７、および／もしくは図２９に見られる基地局１０５、図４Ａに見られるデバイス４００、ならびに／または図４Ｂに見られるデバイス４００−ａを含むが、それらに限定されない様々なワイヤレス通信デバイスを利用して実装され得る。いくつかの実施形態では、方法３０００−ｂは、図１に見られるコアネットワーク１３０および／もしくはコントローラ１２０、ならびに／または図２７に見られるコアネットワーク１３０−ａおよび／もしくはコントローラ１２０−ａを含むが、それらに限定されない様々なワイヤレス通信デバイスを利用して実装され得る。方法３０００−ｂは、図３０Ａの方法３０００の１つまたは複数の態様を含み得る。
【０１３２】
[0175]ブロック３００５−ｂにおいて、時間膨張を用いる第１の帯域幅キャリアシステムのブロードキャストチャネルについてターゲットレートが識別されてよく、ターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートであり得る。ターゲットレートは、ターゲットデータレートまたはターゲット繰返しレートであり得る。帯域幅スケーリングファクタは、整数値または有理数値であり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。いくつかの実施形態では、ターゲットレートは情報データレートを指し、情報データレートは、第２の帯域幅キャリアシステムのブロードキャストチャネルについてのレートと実質的に同じである。
【０１３３】
[0176]ブロック３００８において、ターゲットレートを利用してブロードキャスト情報を送信するのを容易にするために、第１の帯域幅キャリアシステムのブロードキャストチャネルについての無線フレームサイクルにおける無線フレームにＳＩＢおよび／またはＭＩＢがマッピングされ得る。ブロック３００９において、スケーリングされた拡散ファクタが利用されてよく、スケーリングされた拡散ファクタは、第１の帯域幅キャリアシステムの帯域幅スケーリングファクタによって、または第１の帯域幅キャリアシステムの帯域幅スケーリングファクタの分数によってスケーリングされる。ブロック３０１０−ｂにおいて、マッピングされたＳＩＢおよび／またはＭＩＢならびにスケーリングされた拡散ファクタに基づいて、ターゲットレートを利用して第１の帯域幅キャリアシステムのブロードキャスト情報が送信され得る。
【０１３４】
[0177]図３１Ａを参照すると、様々な実施形態による、フレキシブル帯域幅キャリアシステムにおけるブロードキャストチャネルについてのより高いデータレートを提供するための方法３１００のフローチャートが示される。方法３１００は、図１、図２Ａ、図２Ｂ、図３、図２７、図２８、および／もしくは図２９に見られるユーザ機器１１５、図４Ａに見られるデバイス４００、ならびに／または図４Ｂに見られるデバイス４００−ａを含むが、それらに限定されない様々なワイヤレス通信デバイスを利用して実装され得る。
【０１３５】
[0178]ブロック３１０５において、ユーザ機器は、時間膨張を用いる第１の帯域幅キャリアシステムのブロードキャストチャネルを通じて送信されたブロードキャスト情報を受信することができ、ブロードキャスト情報が受信される際のターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートである。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。
【０１３６】
[0179]ブロック３１１０において、ユーザ機器との通信の候補セルを識別するために、ブロードキャスト情報が処理され得る。ブロードキャスト情報は、アクセスのための信号強度情報、サービスプロバイダ情報、および近隣セル情報のうちの１つまたは複数を含み得る。ブロードキャスト情報はユーザ機器によって、ＰＬＭＮ選択、セル選択／再選択、およびあるセルから別のセルへのハンドオーバのうちの１つまたは複数を実行するために利用され得る。
【０１３７】
[0180]方法３１００のいくつかの実施形態は、第１の帯域幅キャリアシステムのブロードキャストチャネルを通じて、および第１の帯域幅キャリアシステムの追加のブロードキャストチャネルを通じて、ターゲットレートでブロードキャスト情報を受信することを含み得る。
【０１３８】
[0181]方法３１００のいくつかの実施形態は、第１の帯域幅キャリアシステムのブロードキャストチャネルについての無線フレームサイクルを受信することを含むことができ、ターゲットレートに基づいて無線フレームサイクルにおける無線フレームにシステム情報ブロックおよび／またはマスタ情報ブロックがマッピングされ、無線フレームの持続時間は、帯域幅スケーリングファクタに基づく。
【０１３９】
[0182]方法３１００のいくつかの実施形態は、第１の帯域幅キャリアシステムのブロードキャストチャネルの１つまたは複数のプライマリブロードキャストチャネルに関するスケーリングされた拡散ファクタに基づいて、ターゲットレートでブロードキャスト情報を受信することを含むことができ、スケーリングされた拡散ファクタは、帯域幅スケーリングファクタによって、または帯域幅スケーリングファクタの分数によってスケーリングされる。いくつかの実施形態では、プライマリブロードキャストチャネルはＵＭＴＳ  ＰＣＣＰＣＨである。
【０１４０】
[0183]図３１Ｂを参照すると、様々な実施形態による、フレキシブル帯域幅キャリアシステムにおけるブロードキャストチャネルについてのより高いデータレートを提供するための方法３１００−ａのフローチャートが示される。上記の方法３１００と同様に、方法３１００−ａは、図１、図２Ａ、図２Ｂ、図３、図２７、図２８、および／もしくは図２９に見られるユーザ機器１１５、図４Ａに見られるデバイス４００、ならびに／または図４Ｂに見られるデバイス４００−ａを含むが、それらに限定されない様々なワイヤレス通信デバイスを利用して実装され得る。方法３１００−ａは、図３１Ａの方法３１００の１つまたは複数の態様を含み得る。
【０１４１】
[0184]ブロック３１０５−ａにおいて、ユーザ機器は、時間膨張を用いる第１の帯域幅キャリアシステムのブロードキャストチャネルを通じて送信されたブロードキャスト情報を受信することができ、ブロードキャスト情報が受信される際のターゲットレートは、ブロードキャストチャネルについてのデータレートよりも高い。データレートは、第２の帯域幅キャリアシステムのブロードキャストチャネルについての、帯域幅スケーリングファクタによってスケーリングされたレートである。ターゲットレートは、ターゲットデータレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。
【０１４２】
[0185]ブロック３１０７において、第１の帯域幅キャリアシステムのブロードキャストチャネルを通じて、および第１の帯域幅キャリアシステムの追加のブロードキャストチャネルを通じて、ターゲットレートでブロードキャスト情報が受信され得る。いくつかの実施形態では、第１の帯域幅キャリアシステムの３つ以上のブロードキャストチャネルを通じてブロードキャスト情報が受信される。ブロードキャストチャネルは、ＵＭＴＳ  ＰＣＣＰＣＨなどのプライマリブロードキャストチャネルであり得る。
【０１４３】
[0186]ブロック３１１０−ａにおいて、ユーザ機器との通信の候補セルを識別するために、両方のブロードキャストチャネルを通じて受信されたブロードキャスト情報が処理され得る。ブロードキャスト情報は、アクセスのための信号強度情報、サービスプロバイダ情報、および近隣セル情報のうちの１つまたは複数を含み得る。ブロードキャスト情報はユーザ機器によって、ＰＬＭＮ選択、セル選択／再選択、およびあるセルから別のセルへのハンドオーバのうちの１つまたは複数を実行するために利用され得る。
【０１４４】
[0187]図３１Ｃを参照すると、様々な実施形態による、フレキシブル帯域幅キャリアシステムにおけるブロードキャストチャネルについてのより高いデータレートを提供するための方法３１００−ｂのフローチャートが示される。上記の方法３１００および３１００−ａと同様に、方法３１００−ｂは、図１、図２Ａ、図２Ｂ、図３、図２７、図２８、および／もしくは図２９に見られるユーザ機器１１５、図４Ａに見られるデバイス４００、ならびに／または図４Ｂに見られるデバイス４００−ａを含むが、それらに限定されない様々なワイヤレス通信デバイスを利用して実装され得る。方法３１００−ｂは、図３１Ａの方法３０００の１つまたは複数の態様を含み得る。
【０１４５】
[0188]ブロック３１０５−ｂにおいて、ユーザ機器は、時間膨張を用いる第１の帯域幅キャリアシステムのブロードキャストチャネルを通じて送信されたブロードキャスト情報を受信することができ、ブロードキャスト情報が受信される際のターゲットレートは、ブロードキャストチャネルについてのスケーリングされたレートよりも高い。スケーリングされたレートは、第２の帯域幅キャリアシステムのブロードキャストチャネルについての、帯域幅スケーリングファクタによってスケーリングされたレートである。ターゲットレートは、ターゲットレートまたはターゲット繰返しレートであり得る。いくつかの実施形態では、第１の帯域幅キャリアシステムは（たとえば、時間膨張を伴う）フレキシブル帯域幅キャリアシステムであり、帯域幅スケーリングファクタはフレキシブル帯域幅キャリアシステムに対応し、第２の帯域幅キャリアシステムは通常帯域幅キャリアシステムである。他の実施形態では、第１の帯域幅キャリアシステムと第２の帯域幅キャリアシステムの両方は、同じ種類の帯域幅キャリアシステムである。
【０１４６】
[0189]ブロック３１０８において、第１の帯域幅キャリアシステムのブロードキャストチャネルについての無線フレームサイクルが受信され、ターゲットレートに基づいて無線フレームサイクルにおける無線フレームにシステム情報ブロックおよび／またはマスタ情報ブロックがマッピングされ、無線フレームの持続時間は、帯域幅スケーリングファクタに基づく。ブロック３１０９において、情報ブロックから、アクセスのための信号強度情報、サービス提供された情報、および近隣セル情報のうちの１つまたは複数が取得され得る。
【０１４７】
[0190]ブロック３１１０−ｂにおいて、ユーザ機器との通信の候補セルを識別するために、システム情報ブロックおよび／またはマスタ情報ブロックから取得された情報が処理され得る。取得された情報はユーザ機器によって、ＰＬＭＮ選択、セル選択、およびあるセルから別のセルへのハンドオーバのうちの１つまたは複数を実行するために利用され得る。
【０１４８】
[0191]添付の図面に関して上記に記載した発明を実施するための形態は、例示的な実施形態を記載しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１４９】
[0192]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１５０】
[0193]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１５１】
[0194]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲内および趣旨内にある。たとえば、ソフトウェアの性質により、上述した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が様々な物理的位置に実装されるように分散されることを含めて、様々な位置に物理的に配置される場合がある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１５２】
[0195]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１５３】
[0196]本開示のこれまでの説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016510184.tif 000003
【図２Ａ】
2016510184.tif 000004
【図２Ｂ】
2016510184.tif 000005
【図３】
2016510184.tif 000006
【図４Ａ】
2016510184.tif 000007
【図４Ｂ】
2016510184.tif 000008
【図５】
2016510184.tif 000009
【図６】
2016510184.tif 000010
【図７】
2016510184.tif 000011
【図９】
2016510184.tif 000012
【図１１】
2016510184.tif 000013
【図１２】
2016510184.tif 000014
【図１４】
2016510184.tif 000015
【図１５】
2016510184.tif 000016
【図１６】
2016510184.tif 000017
【図１８】
2016510184.tif 000018
【図１９】
2016510184.tif 000019
【図２１】
2016510184.tif 000020
【図２２】
2016510184.tif 000021
【図２３Ａ】
2016510184.tif 000022
【図２３Ｂ】
2016510184.tif 000023
【図２４Ａ】
2016510184.tif 000024
【図２４Ｂ】
2016510184.tif 000025
【図２５Ａ】
2016510184.tif 000026
【図２５Ｂ】
2016510184.tif 000027
【図２６Ａ】
2016510184.tif 000028
【図２６Ｂ】
2016510184.tif 000029
【図２７】
2016510184.tif 000030
【図２８】
2016510184.tif 000031
【図２９】
2016510184.tif 000032
【図３０Ａ】
2016510184.tif 000033
【図３０Ｂ】
2016510184.tif 000034
【図３０Ｃ】
2016510184.tif 000035
【図３１Ａ】
2016510184.tif 000036
【図３１Ｂ】
2016510184.tif 000037
【図３１Ｃ】
2016510184.tif 000038
【図８】
2016510184.tif 000039
【図１０】
2016510184.tif 000040
【図１３Ａ】
2016510184.tif 000041
【図１３Ｂ】
2016510184.tif 000042
【図１７】
2016510184.tif 000043
【図２０Ａ】
2016510184.tif 000044
【図２０Ｂ】
2016510184.tif 000045
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
データ通信のための方法であって、
第１の帯域幅キャリアシステムのブロードキャストチャネルについてのターゲットレートを識別すること、ここにおいて、前記第１の帯域幅キャリアシステムは、フレキシブル帯域幅キャリアシステムであり、前記ターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記第１の帯域幅キャリアシステムのブロードキャスト情報を送信することと
を備える方法。
【請求項２】
前記ターゲットレートは、ターゲットデータレートである、
請求項１に記載の方法。
【請求項３】
前記ターゲットレートは、ターゲット繰返しレートである、
請求項１に記載の方法。
【請求項４】
前記第２の帯域幅キャリアシステムは、通常帯域幅キャリアシステムである、
請求項１に記載の方法。
【請求項５】
前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
をさらに備える、請求項１に記載の方法。
【請求項６】
前記ターゲットレートは、情報データレートであり、
前記情報データレートは、前記第２の帯域幅キャリアシステムの前記ブロードキャストチャネルについての前記レートと実質的に同じである、
請求項１に記載の方法。
【請求項７】
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することをさらに備える、
請求項１に記載の方法。
【請求項８】
前記無線フレームサイクルにおいて各情報ブロックの前記ロケーションをスケジュールすることをさらに備える、
請求項７に記載の方法。
【請求項９】
前記情報ブロックは、システム情報ブロック（ＳＩＢ）である、
請求項７に記載の方法。
【請求項１０】
前記情報ブロックは、マスタ情報ブロック（ＭＩＢ）である、
請求項７に記載の方法。
【請求項１１】
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることをさらに備え、前記無線フレームの持続時間は、前記帯域幅スケーリングファクタに基づく、
請求項１に記載の方法。
【請求項１２】
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することをさらに備え、前記スケーリングされた拡散ファクタは、前記帯域幅スケーリングファクタによって、または前記帯域幅スケーリングファクタの分数によってスケーリングされる、
請求項１に記載の方法。
【請求項１３】
前記ブロードキャスト情報は、アクセスのための信号強度情報、サービスプロバイダ情報、および近隣セル情報のうちの１つまたは複数を含む、
請求項１に記載の方法。
【請求項１４】
前記帯域幅スケーリングファクタは、整数値または有理数値である、
請求項１に記載の方法。
【請求項１５】
データ通信のための方法であって、
第１の帯域幅キャリアシステムのブロードキャストチャネルを通じて送信されたブロードキャスト情報をユーザ機器において受信すること、ここにおいて、前記第１の帯域幅キャリアシステムは、フレキシブル帯域幅キャリアシステムであり、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理することと
を備える方法。
【請求項１６】
前記ターゲットレートは、ターゲットデータレートである、
請求項１５に記載の方法。
【請求項１７】
前記ターゲットレートは、ターゲット繰返しレートである、
請求項１５に記載の方法。
【請求項１８】
前記第２の帯域幅キャリアシステムは、通常帯域幅キャリアシステムである、
請求項１５に記載の方法。
【請求項１９】
前記ブロードキャスト情報を受信することは、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信すること
を備える、
請求項１５に記載の方法。
【請求項２０】
前記ブロードキャスト情報を受信することは、
アクセスのための信号強度情報、サービスプロバイダ情報、および近隣セル情報のうちの１つまたは複数を受信することを備える、
請求項１５に記載の方法。
【請求項２１】
前記ブロードキャスト情報を受信することは、
前記第１の帯域幅キャリアシステムの前記ブロードキャストチャネルについての無線フレームサイクルを受信することを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項１５に記載の方法。
【請求項２２】
前記情報ブロックは、少なくとも１つのシステム情報ブロック（ＳＩＢ）を備える、
請求項１５に記載の方法。
【請求項２３】
前記情報ブロックは、少なくとも１つのマスタ情報ブロック（ＭＩＢ）を備える、
請求項１５に記載の方法。
【請求項２４】
前記ブロードキャスト情報を受信することは、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを備え、前記スケーリングされた拡散ファクタは、前記帯域幅スケーリングファクタによって、または前記帯域幅スケーリングファクタの分数によってスケーリングされる、
請求項１５に記載の方法。
【請求項２５】
第１の帯域幅キャリアシステムのブロードキャストチャネルについてのターゲットレートを識別するための手段、ここにおいて、前記第１の帯域幅キャリアシステムは、フレキシブル帯域幅キャリアシステムであり、前記ターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記第１の帯域幅キャリアシステムのブロードキャスト情報を送信するための手段と
を備えるワイヤレス通信システム。
【請求項２６】
前記ターゲットレートは、ターゲットデータレートである、
請求項２５に記載のワイヤレス通信システム。
【請求項２７】
前記ターゲットレートは、ターゲット繰返しレートである、
請求項２５に記載のワイヤレス通信システム。
【請求項２８】
前記第２の帯域幅キャリアシステムは通常帯域幅キャリアシステムである、
請求項２５に記載のワイヤレス通信システム。
【請求項２９】
前記第１の帯域幅キャリアシステムの追加のブロードキャストチャネルを追加するための手段と、
前記ターゲットレートを使用して、前記第１の帯域幅キャリアシステムの両方のブロードキャストチャネルを通じて前記ブロードキャスト情報を送信するための手段と
をさらに備える、請求項２５に記載のワイヤレス通信システム。
【請求項３０】
前記ターゲットレートは、情報データレートであり、
前記情報データレートは、前記第２の帯域幅キャリアシステムの前記ブロードキャストチャネルについての前記レートと実質的に同じである、
請求項２５に記載のワイヤレス通信システム。
【請求項３１】
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するための手段をさらに備える、
請求項２５に記載のワイヤレス通信システム。
【請求項３２】
前記無線フレームサイクルにおいて各情報ブロックの前記ロケーションをスケジュールするための手段をさらに備える、
請求項３１に記載のワイヤレス通信システム。
【請求項３３】
前記情報ブロックは、システム情報ブロック（ＳＩＢ）である、
請求項３２に記載のワイヤレス通信システム。
【請求項３４】
前記情報ブロックは、マスタ情報ブロック（ＭＩＢ）である、
請求項３２に記載のワイヤレス通信システム。
【請求項３５】
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするための手段をさらに備え、前記無線フレームの持続時間は、前記帯域幅スケーリングファクタに基づく、
請求項２５に記載のワイヤレス通信システム。
【請求項３６】
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するための手段をさらに備え、前記スケーリングされた拡散ファクタは、前記帯域幅スケーリングファクタによって、または前記帯域幅スケーリングファクタの分数によってスケーリングされる、
請求項２５に記載のワイヤレス通信システム。
【請求項３７】
前記ブロードキャスト情報は、アクセスのための信号強度情報、サービスプロバイダ情報、および近隣セル情報のうちの１つまたは複数を含む、
請求項２５に記載のワイヤレス通信システム。
【請求項３８】
前記帯域幅スケーリングファクタは、整数値または有理数値である、
請求項２５に記載のワイヤレス通信システム。
【請求項３９】
第１の帯域幅キャリアシステムのブロードキャストチャネルを通じて送信されたブロードキャスト情報をユーザ機器において受信するための手段、ここにおいて、前記第１の帯域幅キャリアシステムは、フレキシブル帯域幅キャリアシステムであり、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理するための手段と
を備えるワイヤレス通信システム。
【請求項４０】
前記ターゲットレートは、ターゲットデータレートである、
請求項３９に記載のワイヤレス通信システム。
【請求項４１】
前記ターゲットレートは、ターゲット繰返しレートである、
請求項３９に記載のワイヤレス通信システム。
【請求項４２】
前記第２の帯域幅キャリアシステムは、通常帯域幅キャリアシステムである、
請求項３９に記載のワイヤレス通信システム。
【請求項４３】
前記ブロードキャスト情報を受信するための前記手段は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するための手段を備える、
請求項３９に記載のワイヤレス通信システム。
【請求項４４】
前記ブロードキャスト情報を受信するための前記手段は、
アクセスのための信号強度情報、サービスプロバイダ情報、および近隣セル情報のうちの１つまたは複数を受信するための手段を備える、
請求項３９に記載のワイヤレス通信システム。
【請求項４５】
前記ブロードキャスト情報を受信するための前記手段は、
前記第１の帯域幅キャリアシステムの前記ブロードキャストチャネルについての無線フレームサイクルを受信するための手段を備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項３９に記載のワイヤレス通信システム。
【請求項４６】
前記情報ブロックは、少なくとも１つのシステム情報ブロック（ＳＩＢ）を備える、
請求項４５に記載のワイヤレス通信システム。
【請求項４７】
前記情報ブロックは、少なくとも１つのマスタ情報ブロック（ＭＩＢ）を備える、
請求項４５に記載のワイヤレス通信システム。
【請求項４８】
前記ブロードキャスト情報を受信するための前記手段は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するための手段を備え、前記スケーリングされた拡散ファクタは、前記帯域幅スケーリングファクタによって、または前記帯域幅スケーリングファクタの分数によってスケーリングされる、
請求項３９に記載のワイヤレス通信システム。
【請求項４９】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルについてのターゲットレートを識別すること、ここにおいて、前記第１の帯域幅キャリアシステムは、フレキシブル帯域幅キャリアシステムであり、前記ターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記第１の帯域幅キャリアシステムのブロードキャスト情報を送信することと
を行わせる、ワイヤレス通信デバイス。
【請求項５０】
前記ターゲットレートは、ターゲットデータレートである、
請求項４９に記載のワイヤレス通信デバイス。
【請求項５１】
前記ターゲットレートは、ターゲット繰返しレートである、
請求項４９に記載のワイヤレス通信デバイス。
【請求項５２】
前記第２の帯域幅キャリアシステムは、通常帯域幅キャリアシステムである、
請求項４９に記載のワイヤレス通信デバイス。
【請求項５３】
前記実行可能コードは、前記少なくとも１つのプロセッサに、
前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
を行わせる、請求項４９に記載のワイヤレス通信デバイス。
【請求項５４】
前記ターゲットレートは、情報データレートであり、
前記情報データレートは、前記第２の帯域幅キャリアシステムの前記ブロードキャストチャネルについての前記レートと実質的に同じである、
請求項４９に記載のワイヤレス通信デバイス。
【請求項５５】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することを行わせる、
請求項４９に記載のワイヤレス通信デバイス。
【請求項５６】
前記実行可能コードは、前記少なくとも１つのプロセッサに、
前記無線フレームサイクルにおいて各情報ブロックの前記ロケーションをスケジュールすることを行わせる、
請求項５５に記載のワイヤレス通信デバイス。
【請求項５７】
前記情報ブロックは、システム情報ブロック（ＳＩＢ）である、
請求項５６に記載のワイヤレス通信デバイス。
【請求項５８】
前記情報ブロックは、マスタ情報ブロック（ＭＩＢ）である、
請求項５６に記載のワイヤレス通信デバイス。
【請求項５９】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることを行わせ、前記無線フレームの持続時間は、前記帯域幅スケーリングファクタに基づく、
請求項４９に記載のワイヤレス通信デバイス。
【請求項６０】
前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することを行わせ、前記スケーリングされた拡散ファクタは、前記帯域幅スケーリングファクタによって、または前記帯域幅スケーリングファクタの分数によってスケーリングされる、
請求項４９に記載のワイヤレス通信デバイス。
【請求項６１】
前記ブロードキャスト情報は、アクセスのための信号強度情報、サービスプロバイダ情報、および近隣セル情報のうちの１つまたは複数を含む、
請求項４９に記載のワイヤレス通信デバイス。
【請求項６２】
前記帯域幅スケーリングファクタは、整数値または有理数値である、
請求項４９に記載のワイヤレス通信デバイス。
【請求項６３】
メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルを通じて送信されたブロードキャスト情報をユーザ機器において受信すること、ここにおいて、前記第１の帯域幅キャリアシステムは、フレキシブル帯域幅キャリアシステムであり、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理することと
を行わせる、ワイヤレス通信デバイス。
【請求項６４】
前記ターゲットレートは、ターゲットデータレートである、
請求項６３に記載のワイヤレス通信デバイス。
【請求項６５】
前記ターゲットレートは、ターゲット繰返しレートである、
請求項６３に記載のワイヤレス通信デバイス。
【請求項６６】
前記第２の帯域幅キャリアシステムは、通常帯域幅キャリアシステムである、
請求項６３に記載のワイヤレス通信デバイス。
【請求項６７】
前記実行可能コードは、前記少なくとも１つのプロセッサに、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信することを行わせる、
請求項６３に記載のワイヤレス通信デバイス。
【請求項６８】
前記実行可能コードは、前記少なくとも１つのプロセッサに、
前記ブロードキャスト情報を通じて、アクセスのための信号強度情報、サービスプロバイダ情報、および近隣セル情報のうちの１つまたは複数を受信することを行わせる、
請求項６３に記載のワイヤレス通信デバイス。
【請求項６９】
前記実行可能コードは、前記少なくとも１つのプロセッサに、
前記ブロードキャスト情報を通じて、前記第１の帯域幅キャリアシステムの前記ブロードキャストチャネルについての無線フレームサイクルを受信することを行わせ、情報ブロックは、前記ターゲットレートに基づいて前記無線フレームサイクルにおける無線フレームにマッピングされ、前記無線フレームの持続時間は、前記帯域幅スケーリングファクタに基づく、
請求項６３に記載のワイヤレス通信デバイス。
【請求項７０】
前記情報ブロックは、少なくとも１つのシステム情報ブロック（ＳＩＢ）を備える、
請求項６９に記載のワイヤレス通信デバイス。
【請求項７１】
前記情報ブロックは、少なくとも１つのマスタ情報ブロック（ＭＩＢ）を備える、
請求項６９に記載のワイヤレス通信デバイス。
【請求項７２】
前記実行可能コードは、前記少なくとも１つのプロセッサに、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを行わせ、前記スケーリングされた拡散ファクタは、前記帯域幅スケーリングファクタによって、または前記帯域幅スケーリングファクタの分数によってスケーリングされる、
請求項６３に記載のワイヤレス通信デバイス。
【請求項７３】
データ通信のためのコンピュータプログラム製品であって、
非一時的コンピュータ可読媒体を備え、前記非一時的コンピュータ可読媒体は、
第１の帯域幅キャリアシステムのブロードキャストチャネルについてのターゲットレートを識別するように構成されたコード、ここにおいて、前記第１の帯域幅キャリアシステムは、フレキシブル帯域幅キャリアシステムであり、前記ターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ターゲットレートを使用して、前記第１の帯域幅キャリアシステムのブロードキャスト情報を送信するように構成されたコードと
を備える、コンピュータプログラム製品。
【請求項７４】
前記ターゲットレートは、ターゲットデータレートである、
請求項７３に記載のコンピュータプログラム製品。
【請求項７５】
前記ターゲットレートは、ターゲット繰返しレートである、
請求項７３に記載のコンピュータプログラム製品。
【請求項７６】
前記第２の帯域幅キャリアシステムは、通常帯域幅キャリアシステムである、
請求項７３に記載のコンピュータプログラム製品。
【請求項７７】
前記非一時的コンピュータ可読媒体は、
前記第１の帯域幅キャリアシステムの追加のブロードキャストチャネルを追加するように構成されたコードと、
前記ターゲットレートを使用して、前記第１の帯域幅キャリアシステムの両方のブロードキャストチャネルを通じて前記ブロードキャスト情報を送信するように構成されたコードと
を備える、請求項７３に記載のコンピュータプログラム製品。
【請求項７８】
前記ターゲットレートは、情報データレートであり、
前記情報データレートは、前記第２の帯域幅キャリアシステムの前記ブロードキャストチャネルについての前記レートと実質的に同じである、
請求項７３に記載のコンピュータプログラム製品。
【請求項７９】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するように構成されたコードを備える、
請求項７３に記載のコンピュータプログラム製品。
【請求項８０】
前記非一時的コンピュータ可読媒体は、
前記無線フレームサイクルにおいて各情報ブロックの前記ロケーションをスケジュールするように構成されたコード
を備える、請求項７９に記載のコンピュータプログラム製品。
【請求項８１】
前記情報ブロックは、システム情報ブロック（ＳＩＢ）である、
請求項８０に記載のコンピュータプログラム製品。
【請求項８２】
前記情報ブロックは、マスタ情報ブロック（ＭＩＢ）である、
請求項８０に記載のコンピュータプログラム製品。
【請求項８３】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするように構成されたコードを備え、前記無線フレームの持続時間は、前記帯域幅スケーリングファクタに基づく、
請求項７３に記載のコンピュータプログラム製品。
【請求項８４】
前記非一時的コンピュータ可読媒体は、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するように構成されたコードを備え、前記スケーリングされた拡散ファクタは、前記帯域幅スケーリングファクタによって、または前記帯域幅スケーリングファクタの分数によってスケーリングされる、
請求項７３に記載のコンピュータプログラム製品。
【請求項８５】
前記ブロードキャスト情報は、アクセスのための信号強度情報、サービスプロバイダ情報、および近隣セル情報のうちの１つまたは複数を含む、
請求項７３に記載のコンピュータプログラム製品。
【請求項８６】
前記帯域幅スケーリングファクタは整数値または有理数値である、
請求項７３に記載のコンピュータプログラム製品。
【請求項８７】
データ通信のためのコンピュータプログラム製品であって、
非一時的コンピュータ可読媒体を備え、前記非一時的コンピュータ可読媒体は、
第１の帯域幅キャリアシステムのブロードキャストチャネルを通じて送信されたブロードキャスト情報をユーザ機器において受信するように構成されたコード、ここにおいて、前記第１の帯域幅キャリアシステムは、フレキシブル帯域幅キャリアシステムであり、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、前記フレキシブル帯域幅キャリアシステムに対応する帯域幅スケーリングファクタによってスケーリングされたレートである、と、
前記ユーザ機器との通信の候補セルを識別するために、前記ブロードキャスト情報を処理するように構成されたコードと
を備える、コンピュータプログラム製品。
【請求項８８】
前記ターゲットレートは、ターゲットデータレートである、
請求項８７に記載のコンピュータプログラム製品。
【請求項８９】
前記ターゲットレートは、ターゲット繰返しレートである、
請求項８７に記載のコンピュータプログラム製品。
【請求項９０】
前記第２の帯域幅キャリアシステムは、通常帯域幅キャリアシステムである、
請求項８７に記載のコンピュータプログラム製品。
【請求項９１】
前記非一時的コンピュータ可読媒体は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するように構成されたコードを備える、
請求項８７に記載のコンピュータプログラム製品。
【請求項９２】
前記非一時的コンピュータ可読媒体は、
前記ブロードキャスト情報を通じて、アクセスのための信号強度情報、サービスプロバイダ情報、および近隣セル情報のうちの１つまたは複数を受信するように構成されたコードを備える、
請求項８７に記載のコンピュータプログラム製品。
【請求項９３】
前記非一時的コンピュータ可読媒体は、
前記ブロードキャスト情報を通じて、前記第１の帯域幅キャリアシステムの前記ブロードキャストチャネルについての無線フレームサイクルを受信するように構成されたコードを備え、情報ブロックは、前記ターゲットレートに基づいて前記無線フレームサイクルにおける無線フレームにマッピングされ、前記無線フレームの持続時間は、前記帯域幅スケーリングファクタに基づく、
請求項８７に記載のコンピュータプログラム製品。
【請求項９４】
前記情報ブロックは、少なくとも１つのシステム情報ブロック（ＳＩＢ）を備える、
請求項９３に記載のコンピュータプログラム製品。
【請求項９５】
前記情報ブロックは、少なくとも１つのシステム情報ブロック（ＳＩＢ）を備える、
請求項９３に記載のコンピュータプログラム製品。
【請求項９６】
前記非一時的コンピュータ可読媒体は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するように構成されたコードを備え、前記スケーリングされた拡散ファクタは、前記帯域幅スケーリングファクタによって、または前記帯域幅スケーリングファクタの分数によってスケーリングされる、
請求項８７に記載のコンピュータプログラム製品。
【手続補正２】
【補正対象書類名】明細書
【補正対象項目名】０１５３
【補正方法】変更
【補正の内容】
【０１５３】
[0196]本開示のこれまでの説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］  データ通信のための方法であって、
第１の帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信することと
を備える方法。
［Ｃ２］  前記ターゲットレートは、ターゲットデータレートである、
Ｃ１に記載の方法。
［Ｃ３］  前記ターゲットレートは、ターゲット繰返しレートである、
Ｃ１に記載の方法。
［Ｃ４］  前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
Ｃ１に記載の方法。
［Ｃ５］  前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
をさらに備える、Ｃ１に記載の方法。
［Ｃ６］  前記ターゲットレートは、情報データレートであり、
前記情報データレートは、前記第２の帯域幅キャリアシステムの前記ブロードキャストチャネルについての前記レートと実質的に同じである、
Ｃ１に記載の方法。
［Ｃ７］  前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することをさらに備える、
Ｃ１に記載の方法。
［Ｃ８］  前記無線フレームサイクルにおいて各情報ブロックの前記ロケーションをスケジュールすることをさらに備える、
Ｃ７に記載の方法。
［Ｃ９］  前記情報ブロックは、システム情報ブロック（ＳＩＢ）である、
Ｃ７に記載の方法。
［Ｃ１０］  前記情報ブロックは、マスタ情報ブロック（ＭＩＢ）である、
Ｃ７に記載の方法。
［Ｃ１１］  前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることをさらに備え、前記無線フレームの持続時間は、前記帯域幅スケーリングファクタに基づく、
Ｃ１に記載の方法。
［Ｃ１２］  前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することをさらに備え、前記スケーリングされた拡散ファクタは、前記帯域幅スケーリングファクタによって、または前記帯域幅スケーリングファクタの分数によってスケーリングされる、
Ｃ１に記載の方法。
［Ｃ１３］  前記ブロードキャスト情報は、アクセスのための信号強度情報、サービスプロバイダ情報、および近隣セル情報のうちの１つまたは複数を含む、
Ｃ１に記載の方法。
［Ｃ１４］  前記帯域幅スケーリングファクタは、整数値または有理数値である、
Ｃ１に記載の方法。
［Ｃ１５］  データ通信のための方法であって、
第１の帯域幅キャリアシステムのブロードキャストチャネルを通じて送信されたブロードキャスト情報をユーザ機器において受信すること、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理することと
を備える方法。
［Ｃ１６］  前記ターゲットレートは、ターゲットデータレートである、
Ｃ１５に記載の方法。
［Ｃ１７］  前記ターゲットレートは、ターゲット繰返しレートである、
Ｃ１５に記載の方法。
［Ｃ１８］  前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
Ｃ１５に記載の方法。
［Ｃ１９］  前記ブロードキャスト情報を受信することは、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信すること
を備える、
Ｃ１５に記載の方法。
［Ｃ２０］  前記ブロードキャスト情報を受信することは、
アクセスのための信号強度情報、サービスプロバイダ情報、および近隣セル情報のうちの１つまたは複数を受信することを備える、
Ｃ１５に記載の方法。
［Ｃ２１］  前記ブロードキャスト情報を受信することは、
前記第１の帯域幅キャリアシステムの前記ブロードキャストチャネルについての無線フレームサイクルを受信することを備え、情報ブロックは、前記ターゲットレートに基づいて前記無線フレームサイクルにおける無線フレームにマッピングされ、前記無線フレームの持続時間は、前記帯域幅スケーリングファクタに基づく、
Ｃ１５に記載の方法。
［Ｃ２２］  前記情報ブロックは、少なくとも１つのシステム情報ブロック（ＳＩＢ）を備える、
Ｃ１５に記載の方法。
［Ｃ２３］  前記情報ブロックは、少なくとも１つのマスタ情報ブロック（ＭＩＢ）を備える、
Ｃ１５に記載の方法。
［Ｃ２４］  前記ブロードキャスト情報を受信することは、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを備え、前記スケーリングされた拡散ファクタは、前記帯域幅スケーリングファクタによって、または前記帯域幅スケーリングファクタの分数によってスケーリングされる、
Ｃ１５に記載の方法。
［Ｃ２５］  第１の帯域幅キャリアシステムのブロードキャストチャネルについてのターゲットレートを識別するための手段、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信するための手段と
を備えるワイヤレス通信システム。
［Ｃ２６］  前記ターゲットレートは、ターゲットデータレートである、
Ｃ２５に記載のワイヤレス通信システム。
［Ｃ２７］  前記ターゲットレートは、ターゲット繰返しレートである、
Ｃ２５に記載のワイヤレス通信システム。
［Ｃ２８］  前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは通常帯域幅キャリアシステムである、
Ｃ２５に記載のワイヤレス通信システム。
［Ｃ２９］  前記第１の帯域幅キャリアシステムの追加のブロードキャストチャネルを追加するための手段と、
前記ターゲットレートを使用して、前記第１の帯域幅キャリアシステムの両方のブロードキャストチャネルを通じて前記ブロードキャスト情報を送信するための手段と
をさらに備える、Ｃ２５に記載のワイヤレス通信システム。
［Ｃ３０］  前記ターゲットレートは、情報データレートであり、
前記情報データレートは、前記第２の帯域幅キャリアシステムの前記ブロードキャストチャネルについての前記レートと実質的に同じである、
Ｃ２５に記載のワイヤレス通信システム。
［Ｃ３１］  前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するための手段をさらに備える、
Ｃ２５に記載のワイヤレス通信システム。
［Ｃ３２］  前記無線フレームサイクルにおいて各情報ブロックの前記ロケーションをスケジュールするための手段をさらに備える、
Ｃ３１に記載のワイヤレス通信システム。
［Ｃ３３］  前記情報ブロックは、システム情報ブロック（ＳＩＢ）である、
Ｃ３２に記載のワイヤレス通信システム。
［Ｃ３４］  前記情報ブロックは、マスタ情報ブロック（ＭＩＢ）である、
Ｃ３２に記載のワイヤレス通信システム。
［Ｃ３５］  前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするための手段をさらに備え、前記無線フレームの持続時間は、前記帯域幅スケーリングファクタに基づく、
Ｃ２５に記載のワイヤレス通信システム。
［Ｃ３６］  前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するための手段をさらに備え、前記スケーリングされた拡散ファクタは、前記帯域幅スケーリングファクタによって、または前記帯域幅スケーリングファクタの分数によってスケーリングされる、
Ｃ２５に記載のワイヤレス通信システム。
［Ｃ３７］  前記ブロードキャスト情報は、アクセスのための信号強度情報、サービスプロバイダ情報、および近隣セル情報のうちの１つまたは複数を含む、
Ｃ２５に記載のワイヤレス通信システム。
［Ｃ３８］  前記帯域幅スケーリングファクタは、整数値または有理数値である、
Ｃ２５に記載のワイヤレス通信システム。
［Ｃ３９］  第１の帯域幅キャリアシステムのブロードキャストチャネルを通じて送信されたブロードキャスト情報をユーザ機器において受信するための手段、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理するための手段と
を備えるワイヤレス通信システム。
［Ｃ４０］  前記ターゲットレートは、ターゲットデータレートである、
Ｃ３９に記載のワイヤレス通信システム。
［Ｃ４１］  前記ターゲットレートは、ターゲット繰返しレートである、
Ｃ３９に記載のワイヤレス通信システム。
［Ｃ４２］  前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
Ｃ３９に記載のワイヤレス通信システム。
［Ｃ４３］  前記ブロードキャスト情報を受信するための前記手段は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するための手段を備える、
Ｃ３９に記載のワイヤレス通信システム。
［Ｃ４４］  前記ブロードキャスト情報を受信するための前記手段は、
アクセスのための信号強度情報、サービスプロバイダ情報、および近隣セル情報のうちの１つまたは複数を受信するための手段を備える、
Ｃ３９に記載のワイヤレス通信システム。
［Ｃ４５］  前記ブロードキャスト情報を受信するための前記手段は、
前記第１の帯域幅キャリアシステムの前記ブロードキャストチャネルについての無線フレームサイクルを受信するための手段を備え、情報ブロックは、前記ターゲットレートに基づいて前記無線フレームサイクルにおける無線フレームにマッピングされ、前記無線フレームの持続時間は、前記帯域幅スケーリングファクタに基づく、
Ｃ３９に記載のワイヤレス通信システム。
［Ｃ４６］  前記情報ブロックは、少なくとも１つのシステム情報ブロック（ＳＩＢ）を備える、
Ｃ４５に記載のワイヤレス通信システム。
［Ｃ４７］  前記情報ブロックは、少なくとも１つのマスタ情報ブロック（ＭＩＢ）を備える、
Ｃ４５に記載のワイヤレス通信システム。
［Ｃ４８］  前記ブロードキャスト情報を受信するための前記手段は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するための手段を備え、前記スケーリングされた拡散ファクタは、前記帯域幅スケーリングファクタによって、または前記帯域幅スケーリングファクタの分数によってスケーリングされる、
Ｃ３９に記載のワイヤレス通信システム。
［Ｃ４９］  メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルについてのターゲットレートを識別すること、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信することと
を行わせる、ワイヤレス通信デバイス。
［Ｃ５０］  前記ターゲットレートは、ターゲットデータレートである、
Ｃ４９に記載のワイヤレス通信デバイス。
［Ｃ５１］  前記ターゲットレートは、ターゲット繰返しレートである、
Ｃ４９に記載のワイヤレス通信デバイス。
［Ｃ５２］  前記第１の帯域幅キャリアシステムは、フレキシブル帯域幅キャリアシステムであり、前記帯域幅スケーリングファクタは、前記フレキシブル帯域幅キャリアシステムに対応し、
前記第２の帯域幅キャリアシステムは、通常帯域幅キャリアシステムである、
Ｃ４９に記載のワイヤレス通信デバイス。
［Ｃ５３］  前記実行可能コードは、前記少なくとも１つのプロセッサに、
前記第１の帯域幅キャリアシステムの追加のブロードキャストチャネルを追加することと、
前記ターゲットレートを使用して、前記第１の帯域幅キャリアシステムの両方のブロードキャストチャネルを通じて前記ブロードキャスト情報を送信することと
を行わせる、Ｃ４９に記載のワイヤレス通信デバイス。
［Ｃ５４］  前記ターゲットレートは、情報データレートであり、
前記情報データレートは、前記第２の帯域幅キャリアシステムの前記ブロードキャストチャネルについての前記レートと実質的に同じである、
Ｃ４９に記載のワイヤレス通信デバイス。
［Ｃ５５］  前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用することを行わせる、
Ｃ４９に記載のワイヤレス通信デバイス。
［Ｃ５６］  前記実行可能コードは、前記少なくとも１つのプロセッサに、
前記無線フレームサイクルにおいて各情報ブロックの前記ロケーションをスケジュールすることを行わせる、
Ｃ５５に記載のワイヤレス通信デバイス。
［Ｃ５７］  前記情報ブロックは、システム情報ブロック（ＳＩＢ）である、
Ｃ５６に記載のワイヤレス通信デバイス。
［Ｃ５８］  前記情報ブロックは、マスタ情報ブロック（ＭＩＢ）である、
Ｃ５６に記載のワイヤレス通信デバイス。
［Ｃ５９］  前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングすることを行わせ、
前記無線フレームの持続時間は、前記帯域幅スケーリングファクタに基づく、
Ｃ４９に記載のワイヤレス通信デバイス。
［Ｃ６０］  前記実行可能コードは、前記少なくとも１つのプロセッサに、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用することを行わせ、前記スケーリングされた拡散ファクタは、前記帯域幅スケーリングファクタによって、または前記帯域幅スケーリングファクタの分数によってスケーリングされる、
Ｃ４９に記載のワイヤレス通信デバイス。
［Ｃ６１］  前記ブロードキャスト情報は、アクセスのための信号強度情報、サービスプロバイダ情報、および近隣セル情報のうちの１つまたは複数を含む、
Ｃ４９に記載のワイヤレス通信デバイス。
［Ｃ６２］  前記帯域幅スケーリングファクタは、整数値または有理数値である、
Ｃ４９に記載のワイヤレス通信デバイス。
［Ｃ６３］  メモリと通信可能に結合された少なくとも１つのプロセッサを備えるワイヤレス通信デバイスであって、前記メモリが実行可能コードを備え、前記実行可能コードが、前記少なくとも１つのプロセッサによって実行されると、前記少なくとも１つのプロセッサに、
第１の帯域幅キャリアシステムのブロードキャストチャネルを通じて送信されたブロードキャスト情報をユーザ機器において受信すること、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理することと
を行わせる、ワイヤレス通信デバイス。
［Ｃ６４］  前記ターゲットレートは、ターゲットデータレートである、
Ｃ６３に記載のワイヤレス通信デバイス。
［Ｃ６５］  前記ターゲットレートは、ターゲット繰返しレートである、
Ｃ６３に記載のワイヤレス通信デバイス。
［Ｃ６６］  前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
Ｃ６３に記載のワイヤレス通信デバイス。
［Ｃ６７］  前記実行可能コードは、前記少なくとも１つのプロセッサに、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信することを行わせる、
Ｃ６３に記載のワイヤレス通信デバイス。
［Ｃ６８］  前記実行可能コードは、前記少なくとも１つのプロセッサに、
前記ブロードキャスト情報を通じて、アクセスのための信号強度情報、サービスプロバイダ情報、および近隣セル情報のうちの１つまたは複数を受信することを行わせる、
Ｃ６３に記載のワイヤレス通信デバイス。
［Ｃ６９］  前記実行可能コードは、前記少なくとも１つのプロセッサに、
前記ブロードキャスト情報を通じて、前記第１の帯域幅キャリアシステムの前記ブロードキャストチャネルについての無線フレームサイクルを受信することを行わせ、情報ブロックは、前記ターゲットレートに基づいて前記無線フレームサイクルにおける無線フレームにマッピングされ、前記無線フレームの持続時間は、前記帯域幅スケーリングファクタに基づく、
Ｃ６３に記載のワイヤレス通信デバイス。
［Ｃ７０］  前記情報ブロックは、少なくとも１つのシステム情報ブロック（ＳＩＢ）を備える、
Ｃ６９に記載のワイヤレス通信デバイス。
［Ｃ７１］  前記情報ブロックは、少なくとも１つのマスタ情報ブロック（ＭＩＢ）を備える、
Ｃ６９に記載のワイヤレス通信デバイス。
［Ｃ７２］  前記実行可能コードは、前記少なくとも１つのプロセッサに、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信することを行わせ、前記スケーリングされた拡散ファクタは、前記帯域幅スケーリングファクタによって、または前記帯域幅スケーリングファクタの分数によってスケーリングされる、
Ｃ６３に記載のワイヤレス通信デバイス。
［Ｃ７３］  データ通信のためのコンピュータプログラム製品であって、
非一時的コンピュータ可読媒体を備え、前記非一時的コンピュータ可読媒体は、
第１の帯域幅キャリアシステムのブロードキャストチャネルについてのターゲットレートを識別するように構成されたコード、ここにおいて、前記ターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ターゲットレートを使用して、前記第１の帯域幅キャリアシステムのブロードキャスト情報を送信するように構成されたコードと
を備える、コンピュータプログラム製品。
［Ｃ７４］  前記ターゲットレートは、ターゲット日レートである、
Ｃ７３に記載のコンピュータプログラム製品。
［Ｃ７５］  前記ターゲットレートは、ターゲット繰返しレートである、
Ｃ７３に記載のコンピュータプログラム製品。
［Ｃ７６］  前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
Ｃ７３に記載のコンピュータプログラム製品。
［Ｃ７７］  前記非一時的コンピュータ可読媒体は、
前記第１の帯域幅キャリアシステムの追加のブロードキャストチャネルを追加するように構成されたコードと、
前記ターゲットレートを使用して、前記第１の帯域幅キャリアシステムの両方のブロードキャストチャネルを通じて前記ブロードキャスト情報を送信するように構成されたコードと
を備える、Ｃ７３に記載のコンピュータプログラム製品。
［Ｃ７８］  前記ターゲットレートは、情報データレートであり、
前記情報データレートは、前記第２の帯域幅キャリアシステムの前記ブロードキャストチャネルについての前記レートと実質的に同じである、
Ｃ７３に記載のコンピュータプログラム製品。
［Ｃ７９］  前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおいて送信される各情報ブロックのロケーションを利用するように構成されたコードを備える、
Ｃ７３に記載のコンピュータプログラム製品。
［Ｃ８０］  前記非一時的コンピュータ可読媒体は、
前記無線フレームサイクルにおいて各情報ブロックの前記ロケーションをスケジュールするように構成されたコード
を備える、Ｃ７９に記載のコンピュータプログラム製品。
［Ｃ８１］  前記情報ブロックは、システム情報ブロック（ＳＩＢ）である、
Ｃ８０に記載のコンピュータプログラム製品。
［Ｃ８２］  前記情報ブロックは、マスタ情報ブロック（ＭＩＢ）である、
Ｃ８０に記載のコンピュータプログラム製品。
［Ｃ８３］  前記非一時的コンピュータ可読媒体は、
前記ターゲットレートを使用して前記ブロードキャスト情報を送信するのを容易にするために、前記第１の帯域幅キャリアシステムの前記ブロードキャストチャネルについての無線フレームサイクルにおける無線フレームに情報ブロックをマッピングするように構成されたコードを備え、前記無線フレームの持続時間は、前記帯域幅スケーリングファクタに基づく、
Ｃ７３に記載のコンピュータプログラム製品。
［Ｃ８４］  前記非一時的コンピュータ可読媒体は、
前記ターゲットレートを使用して前記ブロードキャスト情報を送信するのを容易にするために、前記第１の帯域幅キャリアシステムの前記ブロードキャストチャネルの１つまたは複数のプライマリ共通制御物理チャネル（ＰＣＣＰＣＨ）に関するスケーリングされた拡散ファクタを利用するように構成されたコードを備え、前記スケーリングされた拡散ファクタは、前記帯域幅スケーリングファクタによって、または前記帯域幅スケーリングファクタの分数によってスケーリングされる、
Ｃ７３に記載のコンピュータプログラム製品。
［Ｃ８５］  前記ブロードキャスト情報は、アクセスのための信号強度情報、サービスプロバイダ情報、および近隣セル情報のうちの１つまたは複数を含む、
Ｃ７３に記載のコンピュータプログラム製品。
［Ｃ８６］  前記帯域幅スケーリングファクタは整数値または有理数値である、
Ｃ７３に記載のコンピュータプログラム製品。
［Ｃ８７］  データ通信のためのコンピュータプログラム製品であって、
非一時的コンピュータ可読媒体を備え、前記非一時的コンピュータ可読媒体は、
第１の帯域幅キャリアシステムのブロードキャストチャネルを通じて送信されたブロードキャスト情報をユーザ機器において受信するように構成されたコード、ここにおいて、前記ブロードキャスト情報が受信される際のターゲットレートは、前記ブロードキャストチャネルについてのスケーリングされたレートよりも高く、前記スケーリングされたレートは、第２の帯域幅キャリアシステムのブロードキャストチャネルについての、帯域幅スケーリングファクタによってスケーリングされたレートである、と、
前記ユーザ機器との通信の候補セルを識別するために、前記ブロードキャスト情報を処理するように構成されたコードと
を備える、コンピュータプログラム製品。
［Ｃ８８］  前記ターゲットレートは、ターゲットデータートである、
Ｃ８７に記載のコンピュータプログラム製品。
［Ｃ８９］  前記ターゲットレートは、ターゲット繰返しレートである、
Ｃ８７に記載のコンピュータプログラム製品。
［Ｃ９０］  前記第１の帯域幅キャリアシステムは、フレキシブル帯域幅キャリアシステムであり、前記帯域幅スケーリングファクタは前記フレキシブル帯域幅キャリアシステムに対応し、
前記第２の帯域幅キャリアシステムは、通常帯域幅キャリアシステムである、
Ｃ８７に記載のコンピュータプログラム製品。
［Ｃ９１］  前記非一時的コンピュータ可読媒体は、
前記第１の帯域幅キャリアシステムの前記ブロードキャストチャネルを通じて、および前記第１の帯域幅キャリアシステムの追加のブロードキャストチャネルを通じて、前記ターゲットレートで前記ブロードキャスト情報を受信するように構成されたコードを備える、
Ｃ８７に記載のコンピュータプログラム製品。
［Ｃ９２］  前記非一時的コンピュータ可読媒体は、
前記ブロードキャスト情報を通じて、アクセスのための信号強度情報、サービスプロバイダ情報、および近隣セル情報のうちの１つまたは複数を受信するように構成されたコードを備える、
Ｃ８７に記載のコンピュータプログラム製品。
［Ｃ９３］  前記非一時的コンピュータ可読媒体は、
前記ブロードキャスト情報を通じて、前記第１の帯域幅キャリアシステムの前記ブロードキャストチャネルについての無線フレームサイクルを受信するように構成されたコードを備え、情報ブロックは、前記ターゲットレートに基づいて前記無線フレームサイクルにおける無線フレームにマッピングされ、前記無線フレームの持続時間は、前記帯域幅スケーリングファクタに基づく、
Ｃ８７に記載のコンピュータプログラム製品。
［Ｃ９４］  前記情報ブロックは、少なくとも１つのシステム情報ブロック（ＳＩＢ）を備える、
Ｃ９３に記載のコンピュータプログラム製品。
［Ｃ９５］  前記情報ブロックは、少なくとも１つのシステム情報ブロック（ＳＩＢ）を備える、
Ｃ９３に記載のコンピュータプログラム製品。
［Ｃ９６］  前記非一時的コンピュータ可読媒体は、
前記第１の帯域幅キャリアシステムの前記ブロードキャストチャネルの１つまたは複数のプライマリ共通制御物理チャネル（ＰＣＣＰＣＨ）に関するスケーリングされた拡散ファクタに基づいて、前記ターゲットレートで前記ブロードキャスト情報を受信するように構成されたコードを備え、前記スケーリングされた拡散ファクタは、前記帯域幅スケーリングファクタによって、または前記帯域幅スケーリングファクタの分数によってスケーリングされる、
Ｃ８７に記載のコンピュータプログラム製品。
【国際調査報告】
2016510184.tif 000046
2016510184.tif 000047
2016510184.tif 000048